(57)【要約】異なる無線アクセス技術（ＲＡＴ）の多数のワイヤレスシステムとの同時通信をサポートするワイヤレスデバイスが開示される。例証的な設計において、装置は、異なるＲＡＴのワイヤレスシステムからの同時信号受信をサポートする第１および第２の受信機を含む。第１の受信機は、第１のＲＡＴの第１のワイヤレスシステムから第１のダウンリンク信号を受信する。第２の受信機は、第２のＲＡＴの第２のワイヤレスシステムから第２のダウンリンク信号を受信し、第２のＲＡＴは、第１のＲＡＴとは異なる。第１および第２の受信機は、同時に動作しうる。第２の受信機は、ブロードバンドでありうる、および／または、キャリアアグリゲーションをサポートしうる。装置はさらに、電圧制御発振器（ＶＣＯ）プリングを緩和するために異なる分割器比に基づいて、それぞれ、第１および第２の受信機に対して局部発振器（ＬＯ）信号を生成するための第１および第２のＬＯ生成器を含みうる。【選択図】図２
2016527735.tif 000002
【特許請求の範囲】
【請求項１】
ワイヤレス通信のための装置であって、
第１の無線アクセス技術（ＲＡＴ）の第１のワイヤレスシステム（１２０）から第１のダウンリンク信号を受信するように構成可能な第１の受信機（２３０ａ、３３０ａ）と、
前記第１のＲＡＴとは異なる第２のＲＡＴの第２のワイヤレスシステム（１２２）から第２のダウンリンク信号を受信するように構成可能な第２の受信機（２３０ｚ、３３０ｃ）と、前記第１および第２の受信機は、同時に動作し、前記第２の受信機は、ブロードバンドであるか、またはキャリアアグリゲーションをサポートする、
を備える、装置。
【請求項２】
前記第１の受信機（２３０ａ）は、複数の帯域に対して複数の低雑音増幅器（ＬＮＡ）（２３２ａａ、２３２ａｋ）を備え、各ＬＮＡは、前記複数の帯域のうちの少なくとも１つをカバーし、前記第２の受信機（２３０ｚ）は、前記複数の帯域に対して単一のＬＮＡ（２３２ｚ）を備える、請求項１に記載の装置。
【請求項３】
前記第１の受信機は（３３０ａ）、複数の帯域に対して第１の複数の低雑音増幅器（ＬＮＡ）（３３０ａａ、３３０ａｋ）を備え、前記第２の受信機（３３０ｃ）は、前記複数の帯域に対して第２の複数のＬＮＡ（３３２ｃａ、３３２ｃｋ）を備え、前記第１および第２の受信機は、キャリアアグリゲーションのために、それぞれ、キャリアの第１および第２のセット上においてダウンリンク信号を同時に受信するように構成可能である、請求項１に記載の装置。
【請求項４】
第１の分割器比に基づいて前記第１の受信機に対して第１の局部発振器（ＬＯ）信号を生成するように構成可能な第１のＬＯ生成器（２５０、３５０）と、
第２の分割器比に基づいて前記第２の受信機に対して第２のＬＯ信号を生成するように構成可能な第２のＬＯ生成器（２７０、３７０）と
をさらに備える、請求項１に記載の装置。
【請求項５】
前記第２の分割器比は、前記第１の分割器比とは異なる、請求項４に記載の装置。
【請求項６】
前記第１のＬＯ生成器（２５０、３５０）は、第１の周波数で動作する第１の電圧制御発振器（ＶＣＯ）（２５６、３５６）を備え、前記第２のＬＯ生成器（２７０、３７０）は、第２の周波数で動作する第２のＶＣＯ（２７６、３７６）を備え、前記第１および第２の分割器比は、前記第１および第２の周波数の間で少なくとも所定量の分離を取得するために選択される、請求項４に記載の装置。
【請求項７】
前記第１のＲＡＴの前記第１のワイヤレスシステムに第１のアップリンク信号を送信するように構成可能な第１の送信機（２４０ａ、３４０ａ）と、
前記第２のＲＡＴの前記第２のワイヤレスシステムに第２のアップリンク信号を送信するように構成可能な第２の送信機（２４０ｚ、３４０ｚ、３４０ｂ）と、前記第２の送信機は、ブロードバンドであるか、またはキャリアアグリゲーションをサポートする、
をさらに備える、請求項１に記載の装置。
【請求項８】
第１の分割器比に基づいて前記第１の送信機（２４０ａ、３４０ａ）に対して第１の局所発振器（ＬＯ）信号と、第２の分割器比に基づいて前記第２の受信機（２４０ｚ、３４０ｚ）に対して第２のＬＯ信号とを生成するように構成可能な少なくとも１つのＬＯ生成器（２６０、２７０、３６０、３７０）をさらに備える、請求項７に記載の装置。
【請求項９】
前記少なくとも１つのＬＯ生成器（２６０、２７０、３６０、３７０）は、第１の周波数で動作する第１の電圧制御発振器（ＶＣＯ）（２６６、３６６）と、第２の周波数で動作する第２のＶＣＯ（２７６、３７６）とを備え、前記第１および第２の分割器比は、前記第１および第２の周波数の間で少なくとも所定量の分離を取得するために選択される、請求項８に記載の装置。
【請求項１０】
第１の分割器比に基づいて前記第１の受信機（２３０ａ、３３０ａ）に対して第１の局部発振器（ＬＯ）信号を生成するように構成可能な第１のＬＯ生成器（２５０、３５０）と、
第２の分割器比に基づいて前記第２の受信機（２３０ｚ、３３０ｚ）に対して第２のＬＯ信号を生成するように構成可能な第２のＬＯ生成器（２７０、３７０）と、
第３の分割器比に基づいて前記第１の送信機（２４０ａ、３４０ａ）に対して第３のＬＯ信号を生成するように構成可能な第３のＬＯ生成器（２６０、３６０）と
をさらに備える、請求項７に記載の装置。
【請求項１１】
前記第２のＬＯ生成器（２７０、３７０）は、第４の分割器比に基づいて前記第２の送信機（２４０ｚ、３４０ｚ）に対して第４のＬＯ信号を生成するようにさらに構成可能である、請求項１０に記載の装置。
【請求項１２】
前記第１のＬＯ生成器（２５０、３５０）は、第１の周波数で動作する第１の電圧制御発振器（ＶＣＯ）（２５６、３５６）を備え、前記第２のＬＯ生成器（２７０、３７０）は、第２の周波数で動作する第２のＶＣＯ（２７６、３７６）を備え、前記第３のＬＯ生成器（２６０、３６０）は、第３の周波数で動作する第３のＶＣＯ（２６６、３６６）を備え、前記第１、第２および第３の分割器比は、前記第１、第２および第３の周波数のうちの任意の２つの間で少なくとも所定量の分離を取得するために選択される、請求項１０に記載の装置。
【請求項１３】
ワイヤレス通信のための方法であって、
第１の受信機で第１の無線アクセス技術（ＲＡＴ）の第１のワイヤレスシステムから第１のダウンリンク信号を受信すること（８１２）と、
第２の受信機で前記第１のＲＡＴとは異なる第２のＲＡＴの第２のワイヤレスシステムから第２のダウンリンク信号を受信すること（８１４）と、前記第１および第２の受信機は、同時に動作し、前記第２の受信機は、ブロードバンドであるか、またはキャリアアグリゲーションをサポートする、
を備える、方法。
【請求項１４】
第１の分割器比に基づいて前記第１の受信機に対して第１の局部発振器（ＬＯ）信号を生成すること（８２０）と、
前記第１の分割器比とは異なる第２の分割器比に基づいて前記第２の受信機に対して第２のＬＯ信号を生成すること（８２２）と
をさらに備える、請求項１３に記載の方法。
【請求項１５】
前記第１のＬＯ信号は、第１の周波数の第１の発振器信号に基づいて生成され、前記第２のＬＯ信号は、第２の周波数の第２の発振器信号に基づいて生成され、前記第１および第２の分割器比は、前記第１および第２の周波数の間で少なくとも所定量の分離を取得するために選択される、請求項１４に記載の方法。
【請求項１６】
第１の送信機で前記第１のＲＡＴの前記第１のワイヤレスシステムに第１のアップリンク信号を送信すること（８１６）と、
第２の送信機で前記第２のＲＡＴの前記第２のワイヤレスシステムに第２のアップリンク信号を送信すること（８１８）と、前記第２の送信機は、ブロードバンドであるか、またはキャリアアグリゲーションをサポートする、
をさらに備える、請求項１３に記載の方法。
【請求項１７】
第１の周波数の第１の発振器信号および第１の分割器比に基づいて前記第１の受信機に対して第１の局部発振器（ＬＯ）信号を生成すること（８２０）と、
第２の周波数の第２の発振器信号および第２の分割器比に基づいて前記第２の受信機に対して第２のＬＯ信号を生成すること（８２２）と、
第３の周波数の第３の発振器信号および第３の分割器比に基づいて前記第１の送信機に対して第３のＬＯ信号を生成すること（８２４）と、前記第１、第２および第３の分割器比は、前記第１、第２および第３の周波数のうちの任意の２つの間で少なくとも所定量の分離を取得するために選択される、
をさらに備える、請求項１６に記載の方法。
【請求項１８】
ワイヤレス通信のための装置であって、
第１の無線アクセス技術（ＲＡＴ）の第１のワイヤレスシステムから第１のダウンリンク信号を受信するための手段と、
前記第１のＲＡＴとは異なる第２のＲＡＴの第２のワイヤレスシステムから第２のダウンリンク信号を受信するための手段と、前記第１のダウンリンク信号を前記受信するための手段および前記第２のダウンリンク信号を前記受信するための手段は、同時に動作し、前記第２のダウンリンク信号を前記受信するための手段は、ブロードバンドであるか、またはキャリアアグリゲーションをサポートする、
を備える、装置。
【請求項１９】
第１の分割器比に基づいて前記第１のダウンリンク信号を前記受信するための手段に対して第１の局部発振器（ＬＯ）信号を生成するための手段と、
前記第１の分割器比とは異なる第２の分割器比に基づいて前記第２のダウンリンク信号を前記受信するための手段に対して第２のＬＯ信号を生成するための手段と
をさらに備える、請求項１８に記載の装置。
【請求項２０】
前記第１のＬＯ信号は、第１の周波数の第１の発振器信号に基づいて生成され、前記第２のＬＯ信号は、第２の周波数の第２の発振器信号に基づいて生成され、前記第１および第２の分割器比は、前記第１および第２の周波数の間で少なくとも所定量の分離を取得するために選択される、請求項１９に記載の装置。
【請求項２１】
前記第１のＲＡＴの前記第１のワイヤレスシステムに第１のアップリンク信号を送信するための手段と、
前記第２のＲＡＴの前記第２のワイヤレスシステムに第２のアップリンク信号を送信するための手段と、前記第２のアップリンク信号を前記送信するための手段は、ブロードバンドであるか、またはキャリアアグリゲーションをサポートする、
をさらに備える、請求項１８に記載の装置。
【請求項２２】
第１の周波数の第１の発振器信号および第１の分割器比に基づいて前記第１のダウンリンク信号を前記受信するための手段に対して第１の局部発振器（ＬＯ）信号を生成するための手段と、
第２の周波数の第２の発振器信号および第２の分割器比に基づいて前記第２のダウンリンク信号を前記受信するための手段に対して第２のＬＯ信号を生成するための手段と、
第３の周波数の第３の発振器信号および第３の分割器比に基づいて前記第１のアップリンク信号を前記送信するための手段に対して第３のＬＯ信号を生成するための手段と、前記第１、第２および第３の分割器比は、前記第１、第２および第３の周波数のうちの任意の２つの間で少なくとも所定量の分離を取得するために選択される、
をさらに備える、請求項２１に記載の装置。
【請求項２３】
コンピュータプログラム製品であって、
非一時的コンピュータ可読媒体を備え、前記非一時的コンピュータ可読媒体は、
少なくとも１つのプロセッサに、第１の受信機による第１の無線アクセス技術（ＲＡＴ）の第１のワイヤレスシステムからの第１のダウンリンク信号の受信を指示させるためのコードと、
前記少なくとも１つのプロセッサに、第２の受信機による前記第１のＲＡＴとは異なる第２のＲＡＴの第２のワイヤレスシステムからの第２のダウンリンク信号を受信することの受信を指示させるためのコードと、前記第１および第２の受信機は、同時に動作し、前記第２の受信機は、ブロードバンドであるか、またはキャリアアグリゲーションをサポートする、
を備える、コンピュータプログラム製品。
【発明の詳細な説明】
【優先権の主張】
【０００１】
[0001] 本特許出願は、本願の譲受人に譲渡され、参照によって本願明細書に明確に組み込まれる、２０１３年６月１７日に出願された「METHOD AND APPARATUS FOR CONCURRENT COMMUNICATION WITH MULTIPLE WIRELESS COMMUNICATION SYSTEMS OF DIFFERENT RADIO ACCESS TECHNOLOGIES」と題された非仮特許出願第１３／９１９,７５６号に対する優先権を主張する。
【技術分野】
【０００２】
[0002] 本開示は概して、エレクトロニクスに関し、より具体的には、ワイヤレス通信をサポートするための技法に関する。
【背景技術】
【０００３】
[0003] ワイヤレスデバイス（例えば、セルラ電話またはスマートフォン）は、ワイヤレス通信システムとの双方向通信のためのデータを送信および受信しうる。ワイヤレスデバイスは、データ送信のための送信機およびデータ受信のための受信機を含みうる。データ送信の場合、送信機は、変調された無線周波数（ＲＦ）信号を取得するためにデータで送信局部発振器（ＬＯ）信号を変調し、適正な送信電力レベルを有する出力ＲＦ信号を取得するために変調されたＲＦ信号を増幅し、基地局にアンテナを介して出力ＲＦ信号を送信しうる。データ受信の場合、受信機は、アンテナを介して受信ＲＦ信号を取得し、受信ＬＯ信号で受信ＲＦ信号を増幅およびダウンコンバートし、基地局によって送られたデータを復元するためにダウンコンバートされた信号を処理しうる。
【０００４】
[0004] ワイヤレスデバイスは、異なる無線アクセス技術（ＲＡＴ）の多数のワイヤレスシステムとの通信をサポートしうる。各ワイヤレスシステムは、ある特定の特性および要件を有しうる。異なるＲＡＴのワイヤレスシステムとの同時通信を効率的にサポートすることが望ましい。
【発明の概要】
【０００５】
[0005] 異なるＲＡＴの多数のワイヤレスシステムとの同時通信をサポートするワイヤレスデバイスが本明細書において開示される。例証的な設計において、装置（例えば、ワイヤレスデバイスまたは集積回路（ＩＣ））は、異なるＲＡＴのワイヤレスシステムからの同時信号受信をサポートする第１および第２の受信機を含みうる。第１の受信機は、第１のＲＡＴの第１のワイヤレスシステムから第１のダウンリンク信号を受信しうる。第２の受信機は、第１のＲＡＴとは異なる第２のＲＡＴの第２のワイヤレスシステムから第２のダウンリンク信号を受信しうる。第１および第２の受信機は、同時に動作しうる。第２の受信機は、（ｉ）ブロードバンドであり、複数の周波数帯域をサポートしうる、および／または、（ｉｉ）キャリアアグリゲーションをサポートしうる。
【０００６】
[0006] 例証的な設計において、第１の受信機は、複数の帯域に対して複数の低雑音増幅器（ＬＮＡ）を備えうる。各ＬＮＡは、複数の帯域のうちの少なくとも１つをカバーしうる。第２の受信機は、複数の帯域に対して単一のＬＮＡを備えうる。別の例証的な設計において、第１の受信機は、複数の帯域に対して第１の複数のＬＮＡを備えうる。第２の受信機は、複数の帯域に対して第２の複数のＬＮＡを備えうる。例証的な設計において、第１および第２の受信機は、キャリアアグリゲーションのために、それぞれ、キャリアの第１および第２のセット上においてダウンリンク信号を同時に受信しうる。
【０００７】
[0007] 装置はさらに、第１および第２のＬＯ生成器を含みうる。第１のＬＯ生成器は、第１の分割器比（divider ratio）に基づいて第１の受信機に対して第１のＬＯ信号を生成しうる。第２のＬＯ生成器は、第２の分割器比に基づいて第２の受信機に対して第２のＬＯ信号を生成し、第２の分割器比は、第１の分割器比とは異なりうる。第１のＬＯ生成器は、第１の周波数で動作する第１の電圧制御発振器（ＶＣＯ）を含みうる。第２のＬＯ生成器は、第２の周波数で動作する第２のＶＣＯを含みうる。第１および第２の分割器比は、ＶＣＯプリング（pulling）を緩和するために、第１および第２の周波数の間で少なくとも所定量の分離（a predetermined amount of separation）を取得するために選択されうる。
【０００８】
[0008] 装置はさらに、第１および第２の送信機を含みうる。第１の送信機は、第１のＲＡＴの第１のワイヤレスシステムに第１のアップリンク信号を送信しうる。第２の送信機は、第２のＲＡＴの第２のワイヤレスシステムに第２のアップリンク信号を送信しうる。第２の送信機は、ブロードバンドでありうる、および／または、キャリアアグリゲーションをサポートしうる。
【０００９】
[0009] 本開示の様々な態様および特徴が、以下においてさらに詳細に説明される。
【図面の簡単な説明】
【００１０】
【図１】異なるＲＡＴの多数のワイヤレスシステムと通信するワイヤレスデバイスを示す。
【図２】図１におけるワイヤレスデバイスの例証的な設計を示す。
【図３】図１におけるワイヤレスデバイスの例証的な設計を示す。
【図４】図１におけるワイヤレスデバイスの例証的な設計を示す。
【図５】図２におけるワイヤレスデバイス内のトランシーバの例証的な設計を示す。
【図６】図３におけるワイヤレスデバイス内のトランシーバの例証的な設計を示す。
【図７】図４におけるワイヤレスデバイス内のトランシーバの例証的な設計を示す。
【図８】ワイヤレス通信をサポートするためのプロセスを示す。
【詳細な説明】
【００１１】
[0014] 以下に述べられる詳細な説明は、本開示の例証的な設計の説明として意図されるものであり、本開示が実施されることができる唯一の設計を表すよう意図されるものではない。「例証的（exemplary）」という用語は、本明細書において、「例、実例、または例示としての役割を果たすこと」を意味するよう使用される。「例証的」として本明細書において説明される任意の設計は、他の設計に対して好ましいまたは有利であるとして必ずしも解釈されるべきではない。詳細な説明は、本開示の例証的な設計の完全な理解を提供することを目的とした特定の詳細を含む。本明細書において説明される例証的な設計がこれらの特定の詳細なしに実施されうることが、当業者にとって明らかとなるであろう。いくつかの実例において、知られている構造およびデバイスは、本明細書において提示されている例証的な設計の新規性を曖昧にすることを避けるためにブロック図形式で示される。
【００１２】
[0015] 図１は、異なるＲＡＴの多数のワイヤレスシステムと通信することが可能であるワイヤレスデバイス１１０を示し、異なるＲＡＴの多数のワイヤレスシステムは、第１のＲＡＴの第１のワイヤレスシステム１２０および第２のＲＡＴの第２のワイヤレスシステム１２２を含みうる。ワイヤレスシステム１２０および１２２は各々、符号分割多元接続（ＣＤＭＡ）システム、移動体通信のためのグローバルシステム（ＧＳＭ）（登録商標）システム、ロングタームエボリューション（ＬＴＥ）システム、ワイヤレスローカルエリアネットワーク（ＷＬＡＮ）システム、または何らかの他のワイヤレスシステムでありうる。ＣＤＭＡシステムは、ワイドバンドＣＤＭＡ（ＷＣＤＭＡ（登録商標））、ＣＤＭＡ １Ｘまたはｃｄｍａ２０００、時分割同期符号分割多元接続（ＴＤ−ＳＣＤＭＡ）、等のようなＲＡＴを実装しうる。例えば、ワイヤレスシステム１２０は、ＧＳＭ（登録商標）システムであり、ワイヤレスシステム１２２は、ＷＣＤＭＡ（登録商標）システムでありうる。別の例として、ワイヤレスシステム１２０は、ＬＴＥシステムであり、ワイヤレスシステム１２２は、ＣＤＭＡシステムでありうる。
【００１３】
[0016] 簡潔化のために、図１は、１つの基地局１３０および１つのシステムコントローラ１４０を含むワイヤレスシステム１２０と、１つの基地局１３２および１つのシステムコントローラ１４２を含むワイヤレスシステム１２２とを示す。概して、各ワイヤレスシステムは、任意の数の基地局および任意のセットのネットワークエンティティを含みうる。各基地局は、それのカバレッジ内のワイヤレスデバイスに対する通信をサポートしうる。
【００１４】
[0017] ワイヤレスデバイス１１０はまた、ユーザ機器（ＵＥ）、移動局、端末、アクセス端末、加入者ユニット、局、等と呼ばれうる。ワイヤレスデバイス１１０は、セルラ電話、スマートフォン、タブレット、ワイヤレスモデム、携帯情報端末（ＰＤＡ）、ハンドヘルドデバイス、ラップトップコンピュータ、スマートブック、ネットブック、コードレス電話、ワイヤレスローカルループ（ＷＬＬ）局、Ｂｌｕｅｔｏｏｔｈ（登録商標）デバイス、等でありうる。ワイヤレスデバイス１１０は、ワイヤレスシステム１２０および／または１２２と通信することが可能でありうる。ワイヤレスデバイス１１０はまた、ブロードキャスト局（例えば、ブロードキャスト局１３４）、１つまたは複数の全地球航法衛星システム（ＧＮＳＳ）内における衛星（例えば、衛星１５０）、等から信号を受信することが可能でありうる。ワイヤレスデバイス１１０は、ＧＳＭ(登録商標)、ＷＣＤＭＡ（登録商標）、ｃｄｍａ２０００、ＬＴＥ、８０２．１１、等のようなワイヤレス通信のための１つまたは複数のＲＡＴをサポートしうる。「無線アクセス技術」、「ＲＡＴ」、「無線技術」、「エアインターフェース」、および「規格」という用語は、交換可能に使用されることが多い。
【００１５】
[0018] 図２は、ワイヤレスデバイス１１０ａのブロック図を示し、ワイヤレスデバイス１１０ａは、図１におけるワイヤレスデバイス１１０の１つの例証的な設計である。この設計において、ワイヤレスデバイス１１０ａは、一次アンテナ２１０、二次アンテナ２１２、トランシーバ２２０ａ、およびデータプロセッサ／コントローラ２８０を含む。トランシーバ２２０ａは、第１のＲＡＴに関してアンテナ２１０および２１２の両方からの信号受信を、第２のＲＡＴに関してアンテナ２１０からの信号受信を、および第１および第２のＲＡＴの両方に関してアンテナ２１０を介した信号送信を、サポートする。トランシーバ２２０ａはまた、第１および第２のＲＡＴの両方との同時通信をサポートする。
【００１６】
[0019] 図２に示される設計において、トランシーバ２２０ａは、アンテナインターフェース回路２２２、一次アンテナ２１０に対する第１のＲＡＴに関するマルチバンド受信機２３０ａ、二次アンテナ２１２に対する第１のＲＡＴに関するマルチバンド受信機２３０ｂ、第１のＲＡＴに関するブロードバンド送信機２４０ａ、第２のＲＡＴに関するブロードバンド受信機２３０ｚ、および第２のＲＡＴに関するブロードバンド送信機２４０ｚを含む。マルチバンド受信機またはマルチバンド送信機は、多数の周波数帯域（multiple frequency bands）（または単に、「帯域」）をサポートし、サポートされた帯域ごとに適用可能な要件を満たすために設計された回路を含みうる。例えば、マルチバンド受信機は、多数の低雑音増幅器（ＬＮＡ）を含み、各ＬＮＡは、１つまたは複数の帯域をサポートしうる。マルチバンド送信機は、多数の電力増幅器（ＰＡ）を含み、各ＰＡは、１つまたは複数の帯域をサポートしうる。各ＰＡは、単段増幅器（a single-stage amplifier）または多段増幅器（a multi-stage amplifier）であり、固定利得または可変利得を有しうる。多段増幅器は、段間フィルタ（an inter-stage filter）を含みうるか、または段間フィルタを含まない可能性があり、段間整合（inter-stage matching）を有しうるか、または段間整合を有さない可能性がある。多段増幅器の一部は、オフチップで、例えば、アンテナインターフェース回路内において位置付けられうる。ブロードバンド受信機またはブロードバンド送信機は、多数の帯域をサポートし、全てのサポートされた帯域に対して良好な性能を提供するよう設計された回路を含み、低減された数の入力および／または出力ポートを有しうる。例えば、ブロードバンド受信機は、ＩＣチップ上においてチップエリアを節約し、ピンカウント（pin count）を低減するために、低減された数の入力ポート（例えば、１つの入力ポート）を有し、全てのサポートされた帯域に対して単一のブロードバンド／ワイドバンドＬＮＡを含みうる。マルチバンド送信機は、ＩＣチップ上においてチップエリアを節約し、ピンカウントを低減するために、低減された数の出力ポート（例えば、１つの出力ポート）を有し、全てのサポートされた帯域に対して単一のブロードバンド／ワイドバンドＰＡを含みうる。ブロードバンド受信機または送信機ブロードバンドは、同調可能または切替可能なフロントエンド回路とインターフェースし、それはさらに、アンテナインターフェース回路とインターフェースしうる。ブロードバンドの性能は、単極多投スイッチ（single-pole-multiple-throw switches）を用いて、または用いずに達成されうる。
【００１７】
[0020] 図２に示される設計において、トランシーバ２２０ａは、第１のＲＡＴに関する受信機２３０ａおよび２３０ｂに対するＬＯ生成器２５０、第１のＲＡＴに関する送信機２４０ａに対するＬＯ生成器２６０、および第２のＲＡＴに関する受信機２３０ｚおよび送信機２４０ｚに対するＬＯ生成器２７０を含む。ＬＯ生成器２５０は、受信機２３０ａおよび２３０ｂに対して受信ＬＯ信号を生成する。図２に示される設計において、ＬＯ生成器２５０は、周波数シンセサイザ２５２および分割器２５８を含む。周波数シンセサイザ２５２は、第１の周波数の第１の発振器信号を生成する。分割器２５８は、受信機２３０ａおよび２３０ｂに対してターゲットＲＸ周波数の受信ＬＯ信号を生成するために、ＲＸ＿Ｎ１のファクタで周波数における第１の発振器信号を分割する（divide the first oscillator signal in frequency by a factor of RX_N1）。ＲＸ＿Ｎ１は、受信機２３０ａおよび２３０ｂに関する周波数分割器比である。
【００１８】
[0021] ＬＯ生成器２６０は、送信機２４０ａに対して送信ＬＯ信号を生成する。ＬＯ生成器２６０は、周波数シンセサイザ２６２および分割器２６８を含む。周波数シンセサイザ２６２は、第２の周波数の第２の発振器信号を生成する。分割器２６８は、送信機２４０ａに対してターゲットＴＸ周波数の送信ＬＯ信号を生成するために、ＴＸ＿Ｎ１のファクタで周波数における第２の発振器信号を分割する。
【００１９】
[0022] ＬＯ生成器２７０は、受信機２３０ｚおよび送信機２４０ｚに対して受信および送信ＬＯ信号を生成する。ＬＯ生成器２７０は、周波数シンセサイザ２７２と分割器２７８および２７９とを含む。周波数シンセサイザ２７２は、第３の周波数の第３の発振器信号を生成する。分割器２７８は、受信機２３０ｚに対してターゲットＲＸ周波数の受信ＬＯ信号を生成するために、ＲＸ＿Ｎ２のファクタで周波数における第３の発振器信号を分割する。分割器２７９は、送信機２４０ｚに対してターゲットＴＸ周波数の送信ＬＯ信号を生成するために、ＴＸ＿Ｎ２のファクタで周波数における第３の発振器信号を分割する。
【００２０】
[0023] データプロセッサ／コントローラ２８０は、ワイヤレスデバイス１１０ａに対して様々な機能を遂行しうる。例えば、データプロセッサ２１０は、受信機２３０を介して受信されたデータに対する処理および送信機２４０を介して送信されるデータに対する処理を遂行しうる。コントローラ２８０は、受信機２３０および送信機２４０内の様々な回路の動作を制御しうる。メモリ２８２は、データプロセッサ／コントローラ２８０のためのプログラムコードおよびデータを記憶しうる。メモリ２８２は、（図２において示されるように）データプロセッサ／コントローラ２８０の内部に存在しうるか、またはデータプロセッサ／コントローラ２８０の外部に存在しうる（図２には示されない）。ＬＯコントローラ２８４は、ＬＯ生成器２５０、２６０および２７０の動作を制御しうる。例えば、ＬＯコントローラ２８４は、以下に説明するように、良好な性能が取得されることができるように、生成されたＬＯ信号ごとに適した分割器比を選択しうる。データプロセッサ／コントローラ２８０は、１つまたは複数の特定用途向け集積回路（ＡＳＩＣ）および／または他のＩＣ上において実装されうる。
【００２１】
[0024] 受信機２３０ａおよび２３０ｚは、異なるＲＡＴの２つのワイヤレスシステムからダウンリンク信号を受信するために同時に動作しうる。受信機２３０ａは、第１のＲＡＴの第１のワイヤレスシステム、例えば、ＷＣＤＭＡ（登録商標）からダウンリンク信号を受信しうる。受信機２３０ｚは、第２のＲＡＴの第２のワイヤレスシステム、例えば、ＧＳＭ（登録商標）からダウンリンク信号を同時に受信しうる。例えば、受信機２３０ａは、第１のワイヤレスシステムとの双方向通信をサポートし、受信機２３０ｚは、ＲＡＴ間（inter-RAT）（ＩＲＡＴ）動作に関する第２のワイヤレスシステムのモニタリングおよび／または測定をサポートしうる。
【００２２】
[0025] 送信機２４０ａおよび２４０ｚは、１つまたは複数のワイヤレスシステムにアップリンク信号を送信するために動作しうる。送信機２４０ａは、第１のＲＡＴの第１のワイヤレスシステムに第１のアップリンク信号を送信しうる。送信機２４０ｚは、第２のＲＡＴの第２のワイヤレスシステムに第２のアップリンク信号を同時に送信しうる。例えば、送信機２４０ａは、第１のワイヤレスシステムとの通信をサポートし、送信機２４０ｚは、第２のワイヤレスシステムに対するフィードバック情報（例えば、受信信号強度）のレポーティングをサポートしうる。
【００２３】
[0026] 概して、受信機２３０および送信機２４０の任意の組み合わせは、任意の所与の瞬間においてアクティブでありうる。例えば、受信機２３０ａおよび２３０ｚは、異なるＲＡＴの２つのワイヤレスシステムからダウンリンク信号を受信するために同時にアクティブでありうる。送信機２４０ａおよび２４０ｚは、異なるＲＡＴの２つのワイヤレスシステムにアップリンク信号を送信するために同時にアクティブでありうる。１つまたは複数の受信機２３０および１つまたは複数の送信機２４０はまた、ダウンリンク信号を受信し、異なるＲＡＴの多数のワイヤレスシステムにアップリンク信号を送信するために同時にアクティブでありうる。
【００２４】
[0027] 受信機２３０ａ、２３０ｂおよび２３０ｚは各々、１つまたは複数のＲＡＴをサポートしうる。受信器２３０ごとのＬＯ生成器は、その受信機によってサポートされたＲＡＴごとに適用可能な要件を満たすよう設計されうる。例えば、受信機２３０ａは、ＧＳＭ（登録商標）をサポートし、ＬＯ生成器２５０は、（ｉ）１００ヘルツ（Ｈｚ）から１００キロヘルツ（ＫＨｚ）までの−３５ｄＢｃ統合位相雑音（ＩＰＮ：integrated phase noise）および（ｉｉ）４００ＫＨｚオフセットでの−１１８ｄＢｃ位相雑音を達成するよう要求されうる。代替としてまたは加えて、受信機２３０ａは、ＬＴＥをサポートし、ＬＯ生成器２５０は、５ＫＨｚから９メガヘルツ（ＭＨｚ）までの−３８ｄＢｃ ＩＰＮを達成するよう要求されうる。
【００２５】
[0028] ＬＯ生成器２５０は、多数のＲＡＴをサポートし、サポートされたＲＡＴごとに適用可能な要件を満たすために１つまたは複数の構成可能なパラメータを有しうる。構成可能なパラメータは、構成可能なループ帯域幅、ループフィルタ、ＶＣＯ利得（Ｋｖｃｏ）、チャージポンプ、基準クロック、等を含みうる。各構成可能なパラメータは、多数の可能な設定を有しうる。適した設定は、サポートされたＲＡＴの要件に基づいて構成可能なパラメータごとに選択されうる。１つの設計において、ルックアップテーブルは、構成可能なパラメータに関する列およびサポートされたＲＡＴに関する行を有する二次元のテーブルを実装しうる。列ｘおよび行ｙにおけるエントリは、行ｙに対応するＲＡＴに関する列ｘに対応する構成可能なパラメータのために使用するようパラメータ値を記憶しうる。ルックアップテーブルは、ＲＡＴとの通信が確立されるか、または望まれるそのＲＡＴでアクセスされうる。ＲＡＴに対応する行におけるエントリからのパラメータ値は、取り出され（retrieved）、ＬＯ生成器２５０に適用されうる。
【００２６】
[0029] 概して、各ＬＯ生成器は、１つまたは複数のＲＡＴをサポートしうる。各ＬＯ生成器は、固定パラメータおよび／または構成可能なパラメータを有しうる。各構成可能なパラメータは、ＲＡＴとの通信が確立されるか、または望まれるそのＲＡＴの要件に基づいて適した値に設定されうる。
【００２７】
[0030] データプロセッサ／コントローラ２８０内のＬＯコントローラ２８４は、（ｉ）（存在する場合には）どの受信機２３０および（存在する場合には）どの送信機２４０がアクティブなのかと、（ｉｉ）各アクティブな受信機２３０のＲＸ周波数および各アクティブな送信機２４０のＴＸ周波数と、を示す情報を受信しうる。ＬＯコントローラ２８４は、（ｉ）ターゲット周波数のＬＯ信号が各アクティブな受信機または送信機に提供され、（ｉｉ）全てのアクティブな受信機および送信機に対するＶＣＯがＶＣＯプリングを緩和するために周波数において非常に接近して（too close）動作しないように、アクティブな各受信機または送信機に対するＬＯ生成器ごとに分割器比を決定しうる。２つのＶＣＯは、それらの動作周波数が所定のしきい値内にある、すなわち、ＶＣＯ動作周波数間の絶対値差分（absolute difference）が所定のしきい値未満である場合、周波数において非常に接近していると考えられうる。例えば、アクティブな受信機および／または送信機に対するＲＸおよび／またはＴＸ周波数が周波数において非常に接近している場合、ＬＯコントローラ２８４は、ＶＣＯの動作周波数が互いに非常に接近しないように、アクティブな受信機および／または送信機に対するＶＣＯに関する異なる分割器比を選択しうる。ＬＯコントローラ２８４は、例えば、周波数において変化が存在するか、またはアクティブな受信機または送信機において変化が存在する場合にはいつでも、アクティブな受信機および／または送信機に関する分割器比を動的に決定しうる。これは、異なるＲＡＴの多数のワイヤレスシステムからの／への同時受信および／または送信に対して良好な性能を提供しうる。
【００２８】
[0031] ワイヤレスデバイス１１０は、キャリアアグリゲーションをサポートし、キャリアアグリゲーションは、多数のキャリア上における動作である。キャリアアグリゲーションはまた、マルチキャリア動作と呼ばれうる。キャリアは、通信のために使用される周波数の範囲を指し、ある特定の特性に関連付けられうる。例えば、キャリアは、キャリア上における動作を説明する制御情報および／またはシステム情報に関連付けられうる。キャリアはまた、コンポーネントキャリア（ＣＣ）、周波数チャネル、セル、等と呼ばれうる。帯域は、１つまたは複数のキャリアを含みうる。各キャリアは、ＬＴＥにおいて最大２０ＭＨｚまでカバーしうる。ワイヤレスデバイス１１０は、ＬＴＥリリース１１において１つまたは２つの帯域内における最大５つまでのキャリアで構成されうる。
【００２９】
[0032] ワイヤレスデバイス１１０は、異なる周波数の多数のダウンリンク信号を同時に受信するために多数の受信機を含みうる。これらの多数のダウンリンク信号は、キャリアアグリゲーションのために異なる周波数の多数のキャリア上において１つまたは複数の基地局によって送られうる。各受信機は、ワイヤレスデバイス１１０に１つまたは複数のキャリア上において送られた１つまたは複数のダウンリンク信号を受信しうる。
【００３０】
[0033] 図３は、ワイヤレスデバイス１１０ｂのブロック図を示し、ワイヤレスデバイス１１０ｂは、図１におけるワイヤレスデバイス１１０の別の例証的な設計である。この設計において、ワイヤレスデバイス１１０ｂは、アンテナ２１０および２１２、トランシーバ２２０ｂ、およびデータプロセッサ／コントローラ２８０を含む。トランシーバ２２０ｂは、アンテナインターフェース回路２２２、それぞれ、アンテナ２１０および２１２に対する第１のキャリアセットに関するマルチバンド受信機３３０ａおよび３３０ｂ、それぞれ、アンテナ２１０および２１２に対する第２のキャリアセットに関するマルチバンド受信機３３０ｃおよび３３０ｄ、第１のＲＡＴに関するマルチバンド送信機３４０ａ、および第２のＲＡＴに関するブロードバンド送信機３４０ｚを含む。
【００３１】
[0034] トランシーバ２２０ｂはさらに、受信機３３０ａおよび３３０ｂに対するＬＯ生成器３５０、送信機３４０ａに対するＬＯ生成器３６０、および受信機３３０ｃと３３０ｄと送信機３４０ｚとに対するＬＯ生成器３７０を含む。ＬＯ生成器３５０は、受信機３３０ａおよび３３０ｂに対して受信ＬＯ信号を生成し、周波数シンセサイザ３５２および分割器３５８を含む。ＬＯ生成器３６０は、送信機３４０ａに対して送信ＬＯ信号を生成し、周波数シンセサイザ３６２および分割器３６８を含む。ＬＯ生成器３７０は、受信機３３０ａおよび３３０ｂに対して受信ＬＯ信号を、送信機３４０ｚに対して送信ＬＯ信号を生成する。ＬＯ生成器３７０は、周波数シンセサイザ３７２と分割器３７８および３７９とを含む。
【００３２】
[0035] 受信機３３０ａおよび３３０ｂは、それぞれ、アンテナ２１０および２１２を介してキャリアの第１のセット上においてダウンリンク信号を受信するために使用されうる。受信機３３０ｃおよび３３０ｄは、それぞれ、アンテナ２１０および２１２を介してキャリアの第２のセット上においてダウンリンク信号を受信するために使用されうる。受信機３３０ａ、３３０ｂ、３３０ｃおよび３３０ｄは、キャリアアグリゲーションを用いた信号受信に関する適用可能な要件を満たすよう設計されうる。送信機３４０ａは、信号送信に関する適用可能な要件を満たすよう設計されうる。送信機３４０ｚは、多数の帯域をサポートするブロードバンド送信機でありうる。
【００３３】
[0036] 受信機３３０ａおよび３３０ｃは、キャリアアグリゲーションのためにキャリアの多数のセット上においてダウンリンク信号を受信するために同時に動作しうる。受信機３３０ａおよび３３０ｃはまた、ＲＡＴ間動作（inter-RAT operatio）に関する異なるＲＡＴの２つのワイヤレスシステムからダウンリンク信号を受信するために同時に動作しうる。受信機３３０ａは、第１のＲＡＴの第１のワイヤレスシステム、例えば、ＬＴＥからダウンリンク信号を受信しうる。受信機３３０ｃは、第２のＲＡＴの第２のワイヤレスシステム、例えば、ＧＳＭ（登録商標）からダウンリンク信号を同時に受信しうる。例えば、受信機３３０ａは、第１のワイヤレスシステムとの通信をサポートし、受信機３３０ｃは、ＲＡＴ間動作に関する第２のワイヤレスシステムのモニタリングおよび／または測定をサポートしうる。
【００３４】
[0037] 送信機３４０ａおよび／または３４０ｚは、１つまたは複数のワイヤレスシステムにアップリンク信号を送信するために動作しうる。送信機３４０ａは、第１のＲＡＴの第１のワイヤレスシステムに第１のアップリンク信号を送信しうる。送信機３４０ｚは、第２のＲＡＴの第２のワイヤレスシステムに第２のアップリンク信号を同時に送信しうる。例えば、送信機３４０ａは、第１のワイヤレスシステムとの通信をサポートし、送信機３４０ｚは、第２のワイヤレスシステムに対するフィードバック情報（例えば、受信信号強度）のレポーティングをサポートしうる。
【００３５】
[0038] 概して、受信機および送信機の任意の組み合わせは、任意の所与の瞬間においてアクティブでありうる。例えば、受信機３３０ａおよび３３０ｃは、異なるＲＡＴの２つのワイヤレスシステムからダウンリンク信号を受信するために同時にアクティブでありうる。送信機３４０ａおよび３４０ｚは、異なるＲＡＴの２つのワイヤレスシステムにアップリンク信号を送信するために同時にアクティブでありうる。１つまたは複数の受信機３３０および１つまたは複数の送信機３４０はまた、ダウンリンク信号を受信し、異なるＲＡＴの多数のワイヤレスシステムにアップリンク信号を送信するために同時にアクティブでありうる。
【００３６】
[0039] 図４は、ワイヤレスデバイス１１０ｃのブロック図を示し、ワイヤレスデバイス１１０ｃは、図１におけるワイヤレスデバイス１１０のさらなる別の例証的な設計である。この設計において、ワイヤレスデバイス１１０ｃは、アンテナ２１０および２１２、トランシーバ２２０ｃ、およびデータプロセッサ／コントローラ２８０を含む。トランシーバ２２０ｃは、アンテナインターフェース回路２２２と、マルチバンド受信機３３０ａ、３３０ｂ、３３０ｃ、および３３０ｄと、送信機３４０ａとを含み、それらは、図３におけるトランシーバ２２０ｂの一部である。トランシーバ２２０ｃはまた、第２のキャリアセットに関するマルチバンド送信機３４０ｂを含む。
【００３７】
[0040] トランシーバ２２０ｃはさらに、受信機３３０ａおよび３３０ｂに対するＬＯ生成器３５０ａ、受信機３３０ｃおよび３３０ｄに対するＬＯ生成器３５０ｂ、送信機３４０ａに対するＬＯ生成器３６０ａ、および送信機３４０ｂに対するＬＯ生成器３６０ｂを含む。ＬＯ生成器３５０ａは、受信機３３０ａおよび３３０ｂに対して受信ＬＯ信号を生成し、周波数シンセサイザ３５２ａおよび分割器３５８ａを含む。ＬＯ生成器３５０ｂは、受信機３３０ｃおよび３３０ｄに対して受信ＬＯ信号を生成し、周波数シンセサイザ３５２ｂおよび分割器３５８ｂを含む。ＬＯ生成器３６０ａは、送信機３４０ａに対して送信ＬＯ信号を生成し、周波数シンセサイザ３６２ａおよび分割器３６８ａを含む。ＬＯ生成器３６０ｂは、送信機３４０ｂに対して送信ＬＯ信号を生成し、周波数シンセサイザ３６２ｂおよび分割器３６８ｂを含む。
【００３８】
[0041] 受信機３３０ａおよび３３０ｂは、それぞれ、アンテナ２１０および２１２を介してキャリアの第１のセット上においてダウンリンク信号を受信するために使用されうる。受信機３３０ｃおよび３３０ｄは、それぞれ、アンテナ２１０および２１２を介してキャリアの第２のセット上においてダウンリンク信号を受信するために使用されうる。受信機３３０ａ、３３０ｂ、３３０ｃおよび３３０ｄは、キャリアアグリゲーションを用いた信号受信に関する適用可能な要件を満たすよう設計されうる。
【００３９】
[0042] 送信機３４０ａは、アンテナ２１０および／または２１２を介してキャリアの第１のセット上においてアップリンク信号を送信するために使用されうる。送信機３４０ｂは、アンテナ２１０および／または２１２を介してキャリアの第２のセット上においてアップリンク信号を送信するために使用されうる。送信機３４０ａおよび３４０ｂは、キャリアアグリゲーションを用いた信号送信に関する適用可能な要件を満たすよう設計されうる。
【００４０】
[0043] 受信機３３０ａおよび３３０ｃは、キャリアアグリゲーションのためにキャリアの多数のセット上においてダウンリンク信号を受信するために同時に動作しうる。受信機３３０ａおよび３３０ｃはまた、ＲＡＴ間動作に関する異なるＲＡＴの２つのワイヤレスシステムからダウンリンク信号を受信するために同時に動作しうる。受信機３３０ａは、第１のＲＡＴの第１のワイヤレスシステム、例えば、ＬＴＥからダウンリンク信号を受信しうる。受信機３３０ｃは、第２のＲＡＴの第２のワイヤレスシステム、例えば、ＧＳＭ（登録商標）からダウンリンク信号を同時に受信しうる。例えば、受信機３３０ａは、第１のワイヤレスシステムとの通信をサポートし、受信機３３０ｃは、ＲＡＴ間動作に関する第２のワイヤレスシステムのモニタリングおよび／または測定をサポートしうる。
【００４１】
[0044] 送信機３４０ａおよび３４０ｂは、キャリアアグリゲーションのためにキャリアの多数のセット上においてアップリンク信号を送信するために同時に動作しうる。送信機３４０ａおよび３４０ｂはまた、ＲＡＴ間動作に関する異なるＲＡＴの２つのワイヤレスシステムにアップリンク信号を送信するために同時に動作しうる。送信機３４０ａは、第１のＲＡＴの第１のワイヤレスシステムに第１のアップリンク信号を送信しうる。送信機３４０ｂは、第２のＲＡＴの第２のワイヤレスシステムに第２のアップリンク信号を同時に送信しうる。例えば、送信機３４０ａは、第１のワイヤレスシステムとの通信をサポートし、送信機３４０ｂは、第２のワイヤレスシステムに対するフィードバック情報（例えば、受信信号強度）のレポーティングをサポートしうる。
【００４２】
[0045] 概して、受信機および送信機の任意の組み合わせは、任意の所与の瞬間においてアクティブでありうる。例えば、受信機３３０ａおよび３３０ｃは、異なるＲＡＴの２つのワイヤレスシステムからダウンリンク信号を受信するために同時にアクティブでありうる。送信機３４０ａおよび３４０ｂは、異なるＲＡＴの２つのワイヤレスシステムにアップリンク信号を送信するために同時にアクティブでありうる。１つまたは複数の受信機３３０および１つまたは複数の送信機３４０はまた、ダウンリンク信号を受信し、異なるＲＡＴの多数のワイヤレスシステムにアップリンク信号を送信するために同時にアクティブでありうる。
【００４３】
[0046] 図２〜４における受信機および送信機は、様々な方式で実装されうる。送信機または受信機は、スーパーヘテロダイン・アーキテクチャまたはダイレクトコンバージョン・アーキテクチャを用いて実装されうる。スーパーヘテロダイン・アーキテクチャにおいて、信号は、多数の段において（in multiple stages）ＲＦとベースバンドとの間で、例えば、１つの段においてＲＦから中間周波数（ＩＦ）に、その後、受信機のために別の段においてＩＦからベースバンドに、周波数コンバートされる。ゼロＩＦアーキテクチャ（a zero-IF architecture）ともよばれる、ダイレクトコンバージョン・アーキテクチャにおいて、信号は、１つの段においてＲＦとベースバンドとの間で周波数コンバートされる。スーパーヘテロダインおよびダイレクトコンバージョン・アーキテクチャは、異なる回路ブロックを使用しうる、および／または、異なる要件を有しうる。ダイレクトコンバージョン・アーキテクチャを用いて実装された受信機および送信機のいくつかの例証的な設計が以下において説明される。
【００４４】
[0047] 図５は、ワイヤレスデバイス１１０ｘのブロック図を示し、ワイヤレスデバイス１１０ｘは、図２におけるワイヤレスデバイス１１０ａの１つの例証的な設計である。図５に示される設計において、マルチバンド受信機２３０ａは、多数（Ｋ個）のＬＮＡ２３２ａａ〜２３２ａｋ、ダウンコンバータ２３４ａ、ローパスフィルタ（ＬＰＦ）２３６ａ、および増幅器（Ａｍｐ）２３８ａを含む。ＬＮＡ２３２ａａ〜２３２ａｋは、アンテナインターフェース回路２２２を介して一次アンテナ２１０に結合されたそれらの入力と、ダウンコンバータ２３４ａに結合されたそれらの出力とを有する。ダウンコンバータ２３４ａは、ローパスフィルタ２３６ａに結合されたそれの出力を有し、ローパスフィルタ２３６ａは、増幅器２３８ａに結合されたそれの出力を有する。マルチバンド受信機２３０ｂは、多数（Ｋ個）のＬＮＡ２３２ｂａ〜２３２ｂｋ、ダウンコンバータ２３４ｂ、ローパスフィルタ２３６ｂ、および増幅器２３８ｂを含み、それらは、受信機２３０ａ内におけるＬＮＡ２３２ａａ〜２３２ａｋ、ダウンコンバータ２３４ａ、ローパスフィルタ２３６ａ、および増幅器２３８ａと同様の方式で結合される。ブロードバンド受信機２３０ｚは、ＬＮＡ２３２ｚ、ダウンコンバータ２３４ｚ、ローパスフィルタ２３６ｚ、および増幅器２３８ｚを含み、それらは、図５において示されるように結合される。
【００４５】
[0048] 図５に示される設計において、マルチバンド送信機２４０ａは、増幅器（Ａｍｐ）２４２ａ、ローパスフィルタ２４４ａ、アップコンバータ２４６ａ、および多数（Ｋ個）の電力増幅器（ＰＡ）２４８ａａ〜２４８ａｋを含む。増幅器２４２ａは、データプロセッサ２８０に結合されたそれの入力とローパスフィルタ２４４ａに結合されたそれの出力とを有する。ローパスフィルタ２４４ａは、アップコンバータ２４６ａに結合されたそれの出力を有する。ＰＡ２４８ａａ〜２４８ａｋは、アップコンバータ２４６ａに結合されたそれらの入力とアンテナインターフェース回路２２２を介してアンテナ２１０に結合されたそれらの出力とを有する。ブロードバンド送信機２４０ｚは、増幅器２４２ｚ、ローパスフィルタ２４４ｚ、アップコンバータ２４６ｚ、およびＰＡ２４８ｚを含み、それらは、図５において示されるように結合される。ＰＡ２４８ｚは、アンテナインターフェース回路２２２を介して一次アンテナ２１０または二次アンテナ２１２に結合されうる。
【００４６】
[0049] 図５は、受信機２３０ａ、２３０ｂおよび２３０ｚの例証的な設計を示す。概して、受信機は、受信ＲＦ信号を処理するために任意のセットの回路を含みうる。例えば、受信機は、１つまたは複数の増幅器、フィルタ、ダウンコンバータ、等を含みうる。図５はまた、送信機２４０ａおよび２４０ｚの例証的な設計を示す。概して、送信機は、出力ＲＦ信号を生成するために任意のセットの回路を含みうる。例えば、送信機は、１つまたは複数の増幅器、フィルタ、アップコンバータ、等を含みうる。
【００４７】
[0050] 受信機または送信機内における回路は、図５において示される構成とは異なって配置されうる。例えば、受信機は、ダウンコンバータとローパスフィルタとの間において増幅器を含みうる。送信機は、ローパスフィルタとアップコンバータとの間において増幅器を含みうる。図５において示されない他の回路はまた、送信機または受信機における信号を調整するために使用されうる。例えば、整合回路は、ＰＡの出力におよび／またはＬＮＡの入力に位置付けられうる。図５におけるいくつかの回路はまた、省略されうる。トランシーバ２２０ｘの全てまたは一部は、１つまたは複数のアナログ集積回路（ＩＣ）、ＲＦ ＩＣ（ＲＦＩＣ）、混合信号ＩＣ、等の上において実装されうる。
【００４８】
[0051] ワイヤレスデバイス１１０ｘは、一次アンテナ２１０および／または二次アンテナ２１２を介した１つまたは複数のワイヤレスシステムからのダウンリンク信号の受信をサポートしうる。ワイヤレスデバイス１１０ｘはまた、一次アンテナ２１０および／または二次アンテナ２１２を介した１つまたは複数のワイヤレスシステムへのアップリンク信号の送信をサポートしうる。
【００４９】
[0052] 一次アンテナ２１０を介した信号受信の場合、基地局および／または他の送信機局によって送信された信号は、アンテナ２１０によって受信され、アンテナ２１０は、一次受信ＲＦ信号を提供しうる。アンテナインターフェース回路２２２は、選択された受信機２３０ａまたは２３０ｚに対して一次受信ＲＦ信号をフィルタリングおよびルーティングしうる。アンテナインターフェース回路２２２は、１つまたは複数のスイッチ、デュプレクサ、ダイプレクサ（diplexers）、送信フィルタ、受信フィルタ、整合回路、方向性結合器（directional couplers）、等を含みうる。受信機２３０ａが選択された受信機である場合、一次受信ＲＦ信号は、Ｋ個のＬＮＡ２３２ａａ〜２３２ａｋの間で選択されたＬＮＡによって増幅されうる。ダウンコンバータ２３４ａは、ＬＯ生成器２５０からの受信ＬＯ信号を用いて、選択されたＬＮＡからの増幅されたＲＦ信号をダウンコンバートし、ダウンコンバートされた信号を提供しうる。ダウンコンバートされた信号は、ベースンバンド入力信号を取得するために、ローパスフィルタ２３６ａによってフィルタリングされ、増幅器２３８ａによって増幅され、ベースバンド入力信号は、データプロセッサ２８０に提供されうる。受信機２３０ｚが選択された受信機である場合、一次受信ＲＦ信号は、ベースバンド入力信号を取得するために、ＬＮＡ２３２ｚによって増幅され、ダウンコンバータ２３４ｚによってダウンコンバートされ、ローパスフィルタ２３６ｚによってフィルタリングされ、増幅器２３８ｚによって増幅され、ベースバンド入力信号は、データプロセッサ２８０に提供されうる。
【００５０】
[0053] 二次アンテナ２１２を介した信号受信の場合、基地局および／または他の送信機局によって送信された信号は、アンテナ２１２によって受信されうるが、アンテナ２１２は、アンテナインターフェース回路２２２を介して受信機２３０ｂに二次受信ＲＦ信号を提供しうる。二次受信ＲＦ信号は、ベースバンド入力信号を取得するために、ＬＮＡ２３２ｂａ〜２３２ｂｋのうちの１つによって増幅され、ダウンコンバータ２３４ｂによってダウンコンバートされ、ローパスフィルタ２３６ｂによってフィルタリングされ、増幅器２３８ｂによって増幅されうるが、ベースバンド入力信号は、データプロセッサ２８０に提供されうる。
【００５１】
[0054] 信号送信の場合、データプロセッサ２８０は、送信されるべきデータを処理し、送信機２４０ａに第１の出力ベースバンド信号を提供しうる。送信機２４０ａ内において、第１の出力ベースバンド信号は、第１の出力ＲＦ信号を取得するために、増幅器２４２ａによって増幅され、ローパスフィルタ２４４ａによってフィルタリングされ、アップコンバータ２４６ａによってアップコンバートされ、ＰＡ２４８ａａ〜２４８ａｋのうちの１つによって増幅されうる。第１の出力ＲＦ信号は、アンテナインターフェース回路２２２を通してルーティングされ、アンテナ２１０および／または２１２を介して送信されうる。代替としてまたは加えて、データプロセッサ２８０は、送信機２４０ｚに第２の出力ベースバンド信号を提供しうる。送信機２４０ｚ内において、第２の出力ベースバンド信号は、第２の出力ＲＦ信号を取得するために、増幅器２４２ｚによって増幅され、ローパスフィルタ２４４ｚによってフィルタリングされ、アップコンバータ２４６ｚによってアップコンバートされ、ＰＡ２４８ｚによって増幅され、第２の出力ＲＦ信号は、アンテナインターフェース回路２２２を通してルーティングされ、アンテナ２１２を介して送信されうる。
【００５２】
[0055] ＬＯ生成器２５０は、受信機２３０ａおよび２３０ｂに対して受信ＬＯ信号を生成する。図５に示される設計において、ＬＯ生成器２５０は、周波数シンセサイザ２５２および分割器２５８を含み、周波数シンセサイザ２５２は、位相ロックループ（ＰＬＬ）２５４およびＶＣＯ２５６を含む。ＶＣＯ２５６は、第１の周波数の第１の発振器信号を生成し、それは、ＰＬＬ２５４からの第１の制御信号によって決定される。ＰＬＬ２５４は、第１の発振器信号の位相が基準信号の位相にロックされる（locked）ように、基準信号および第１の発振器信号を受信し、基準信号の位相に対して第１の発振器信号の位相を比較し、ＶＣＯ２５６に対して第１の制御信号を生成する。分割器２５８は、受信機２３０ａおよび２３０ｂ内におけるダウンコンバータ２３４ａおよび２３４ｂに対してターゲットＲＸ周波数の受信ＬＯ信号を生成するために、ＲＸ＿Ｎ１のファクタで周波数における第１の発振器信号を分割する。
【００５３】
[0056] ＬＯ生成器２６０は、送信機２４０ａに対して送信ＬＯ信号を生成する。ＬＯ生成器２６０は、周波数シンセサイザ２６２および分割器２６８を含み、周波数シンセサイザ２６２は、ＰＬＬ２６４およびＶＣＯ２６６を含む。周波数シンセサイザ２６２は、第２の周波数の第２の発振器信号を生成する。分割器２６８は、送信機２４０ａ内におけるアップコンバータ２４６ａに対してターゲットＴＸ周波数の送信ＬＯ信号を生成するために、ＴＸ＿Ｎ１のファクタで周波数における第２の発振器信号を分割する。
【００５４】
[0057] ＬＯ生成器２７０は、受信機２３０ｚおよび送信機２４０ｚに対して受信および送信ＬＯ信号を生成する。ＬＯ生成器２７０は、周波数シンセサイザ２７２と分割器２７８および２７９とを含み、周波数シンセサイザ２７２は、ＰＬＬ２７４およびＶＣＯ２７６を含む。周波数シンセサイザ２７２は、第３の周波数の第３の発振器信号を生成する。分割器２７８は、受信機２３０ｚ内におけるダウンコンバータ２３４ｚに対してターゲットＲＸ周波数の受信ＬＯ信号を生成するために、ＲＸ＿Ｎ２のファクタで周波数における第３の発振器信号を分割する。分割器２７９は、送信機２４０ｚ内におけるアップコンバータ２４６ｚに対してターゲットＴＸ周波数の送信ＬＯ信号を生成するために、ＴＸ＿Ｎ２のファクタで周波数における第３の発振器信号を分割する。
【００５５】
[0058] 図５に示される設計において、マルチバンド受信機２３０ａは、多数の帯域をサポートするために多数のＬＮＡ２３２ａａ〜２３２ａｋを含む。各ＬＮＡ２３２は、１つまたは複数の帯域をサポートし、そのＬＮＡによってカバーされた１つまたは複数の帯域に関する（例えば、アンテナインターフェース回路２２２内における）別個の整合回路に結合されうる。多数のＬＮＡ２３２ａａ〜２３２ａｋは、受信機２３０ａが、例えば、直線性（linearity）、ダイナミックレンジ、雑音指数（noise figure）、等に関する適用可能な要件を満たすことを可能にしうる。これらの要件は、受信機２３０ａによってサポートされた１つまたは複数のＲＡＴに依存しうる。
【００５６】
[0059] ブロードバンド受信機２３０ｚは、ブロードバンド回路を使用して多数の帯域をサポートしうる。例えば、受信機２３０ｚは、多数の帯域をサポートすることができる単一のブロードバンドＬＮＡ２３２ｚを含みうる。ＬＮＡ２３２ｚは、ＬＮＡ２３２ａａ〜２３２ａｋとは異なる回路設計を有しうる。例えば、ＬＮＡ２３２ｚは、受信ＲＦ信号を受信するそれのソースと、交流電流（alternating current）（ＡＣ）接地（ground）に結合されたそれのゲートとを有する共通ゲートＬＮＡを用いて実装されうる。対照的に、ＬＮＡ２３２ａａ〜２３２ａｋは各々、受信ＲＦ信号を受信するそれのゲートと、ソースディジェネレーションインダクタ（source degeneration inductor）または回路接地に結合されたそれのソースとを有する共通ソースＬＮＡを用いて実装されうる。ブロードバンド受信機２３０ｚ内における他の回路はまた、ブロードバンド動作をサポートするよう設計されうる。例えば、ダウンコンバータ２３４ｚは、多数の帯域で動作するよう設計されうる。ローパスフィルタ２３６ｚは、構成可能な帯域幅で設計されうる。
【００５７】
[0060] 図５に示される設計において、マルチバンド送信機２４０ａは、多数の帯域をサポートするために多数のＰＡ２４８ａａ〜２４８ａｋを含む。各ＰＡ２４８は、１つまたは複数の帯域をサポートし、そのＰＡによってカバーされた１つまたは複数の帯域に関する（例えば、アンテナインターフェース回路２２２内における）別個の整合回路に結合されうる。多数のＰＡ２４８ａａ〜２４８ａｋは、送信機２４０ａが、例えば、直線性、ダイナミックレンジ、出力電力、等に関する適用可能な要件を満たすことを可能にしうる。これらの要件は、送信機２４０ａによってサポートされた１つまたは複数のＲＡＴに依存しうる。
【００５８】
[0061] ブロードバンド送信機２４０ｚは、ブロードバンド回路を使用して多数の帯域をサポートしうる。例えば、送信機２４０ｚは、多数の帯域をサポートすることができる単一のブロードバンドＰＡ２４８ｚを含みうる。ＰＡ２４８ｚは、ＰＡ２４８ａａ〜２４８ａｋとは異なる回路設計を有しうる。
【００５９】
[0062] 図２および図５に示される設計において、受信機２３０ｚおよび送信機２４０ｚは、ＩＣチップエリアおよびコストを節約するためにブロードバンドでありうる。受信機２３０ｚおよび送信機２４０ｚはまた、マルチモードであり、受信機２３０ａおよび送信機２４０ａによってサポートされた全てのＲＡＴをサポートしうる。受信機２３０ｚおよび送信機２４０ｚは、ＩＣチップエリアを節約するために１つのＬＯ生成器２７０を共有しうる。受信機２３０ａおよび送信機２４０ａの動作は、受信機２３０ｚおよび送信機２４０ｚがＯＮまたはＯＦＦにされた場合にはほとんど影響を受けない可能性がある。
【００６０】
[0063] 周波数シンセサイザ２５２および２７２内における多数のＶＣＯ２５６および２７６は、異なるＲＡＴの多数のワイヤレスシステムからのダウンリンク信号の同時受信をサポートするために受信ＬＯ信号を生成するよう使用されうる。ＬＯ生成器２５０および２７０は、多数のＲＡＴに関する同時信号受信をサポートするよう構成されうる。例えば、受信機２３０ａおよび２３０ｚは、ＵＭＴＳ帯域８（Ｂ８）内において、それぞれ、ＷＣＤＭＡ（商標登録）およびＧＳＭ（商標登録）システムからダウンリンク信号を同時に受信しうる。ＷＣＤＭＡ（登録商標）システムに関する受信機２３０ａに対する第１のＲＸ周波数（またはＲＸ１周波数）は、ＧＳＭ（登録商標）システムに関する受信機２３０ｚに対する第２のＲＸ周波数（またはＲＸ２周波数）に近接しているか、または離れている可能性がある。ＲＸ１周波数がＲＸ２周波数に近接しており（例えば、０．１ＭＨｚ以下だけ離されている）、同じ分割器比（例えば、ＲＸ＿Ｎ１＝ＲＸ＿Ｎ２）が分割器２５８および２７８の両方のために使用される場合、ＶＣＯ２５６および２７６は、近接する周波数で動作し、互いにプル（pull）しうる。周波数シンセサイザ２５２および２７２は、その後、ＶＣＯプリングに起因する劣化された位相雑音（degraded phase noise）およびスプリアス性能（spurious performance）を有しうる。
【００６１】
[0064] 例証的な設計において、異なる分割器比は、同時に動作する多数の受信機に対するＬＯ生成器のために使用されうる。上述された例において、異なる分割器比（ＲＸ＿Ｎ１≠ＲＸ＿Ｎ２）は、ＶＣＯプリングを緩和するためにＬＯ生成器２５０および２７０内における分割器２５８および２７８のために使用されうる。分割器比ＲＸ＿Ｎ１およびＲＸ＿Ｎ２は、ＶＣＯ２５６の動作周波数がＶＣＯプリングを緩和するためにＶＣＯ２７６の動作周波数から十分に離れるように、選択されうる。
【００６２】
[0065] 例証的な設計において、異なる分割器比は、同時に動作する多数の送信機に対するＬＯ生成器のために使用されうる。例えば、異なる分割器比ＴＸ＿Ｎ１およびＴＸ＿Ｎ２は、ＶＣＯプリングを緩和するためにＬＯ生成器２６０および２７０内における分割器２６８および２７９のために使用されうる。分割器比ＴＸ＿Ｎ１およびＴＸ＿Ｎ２は、ＶＣＯ２５６の動作周波数がＶＣＯプリングを緩和するためにＶＣＯ２７６の動作周波数から十分に離れるように、選択されうる。
【００６３】
[0066] 例証的な設計において、異なる分割器比は、同時に動作する受信機および送信機に対するＬＯ生成器のために使用されうる。１つの動作シナリオにおいて、受信機２３０ａおよび２３０ｚと送信機２４０ａとは、同時に動作しうる。受信機２３０ａおよび送信機２４０ａは、第１のＲＡＴの第１のワイヤレスシステムとの通信をサポートしうる。受信機２３０ｚは、第２のＲＡＴの第２のワイヤレスシステムからの信号受信をサポートしうる。分割器２７８に関する分割器比ＲＸ＿Ｎ２と分割器２６８に関する分割器比ＴＸ＿Ｎ１とは、（ｉ）望まれるＴＸ周波数の送信ＬＯ信号が送信機２４０ａのために取得され、（ｉｉ）望まれるＲＸ周波数の受信ＬＯ信号が受信機２３０ｚのために取得され、（ｉｉｉ）送信機２４０ｂに対するＶＣＯ２６６の周波数がＶＣＯプリングを緩和するために受信機２３０ｚに対するＶＣＯ２７６の周波数に非常に接近しない、ように選択されうる。
【００６４】
[0067] 別の動作シナリオにおいて、受信機２３０ａおよび２３０ｚと送信機２４０ａおよび２４０ｚとは、同時に動作しうる。受信機２３０ａおよび送信機２４０ａは、第１のＲＡＴの第１のワイヤレスシステムとの通信をサポートしうる。受信機２３０ｚおよび送信機２４０ｚは、第２のＲＡＴの第２のワイヤレスシステムとの通信をサポートしうる。分割器２５８に関する分割器比ＲＸ＿Ｎ１、分割器２６８に関する分割器比ＴＸ＿Ｎ１、分割器２７８に関する分割器比ＲＸ＿Ｎ２、および分割器２７９に関する分割器比ＴＸ＿Ｎ２は、（ｉ）望まれるＴＸ周波数の送信ＬＯ信号が送信機２４０ａおよび２４０ｚのために取得され、（ｉｉ）望まれるＲＸ周波数の受信ＬＯ信号が受信機２３０ａおよび２３０ｚのために取得され、（ｉｉｉ）ＶＣＯ２５６、２６６および２７６の周波数がＶＣＯプリングを緩和するために互いに非常に接近しない、ように選択されうる。
【００６５】
[0068] 受信機２３０ｚおよび送信機２４０ｚは、第２のワイヤレスシステムからのダウンリンク信号をモニタおよび／または測定し、第２のワイヤレスシステムにフィードバック情報をレポートするために同時にアクティブでありうる。第２のワイヤレスシステムが時分割複信（ＴＤＤ）を利用する場合、第２のワイヤレスシステムに関するＲＸ周波数は、第２のワイヤレスシステムに関するＴＸ周波数に等しく、１つのＬＯ生成器２７０は、受信機２３０ｚに対する受信ＬＯ信号および送信機２４０ｚに対する送信ＬＯ信号の両方を生成するために使用されうる。ＬＯ生成器２７０は、時分割多重化方式で動作し、受信時間間隔の間に受信ＬＯ信号を、または送信時間間隔の間に送信ＬＯ信号を、生成しうる。このケースにおいて、ＶＣＯプリングは、ＬＯ生成器２７０によって遭遇（encountered）されないであろう。
【００６６】
[0069] 図６は、ワイヤレスデバイス１１０ｙのブロック図を示し、ワイヤレスデバイス１１０ｙは、図３におけるワイヤレスデバイス１１０ｂの例証的な設計である。この設計において、マルチバンド受信機３３０ａは、多数（Ｋ個）のＬＮＡ３３２ａａ〜３３２ａｋ、ダウンコンバータ３３４ａ、ローパスフィルタ３３６ａ、および増幅器３３８ａを含み、それらは、図６において示されるように結合される。マルチバンド受信機３３０ｂ、３３０ｃおよび３３０ｄは各々、マルチバンド受信機３３０ａと同様の方式で実装されうる。マルチバンド送信機３４０ａは、増幅器３４２ａ、ローパスフィルタ３４４ａ、アップコンバータ３４６ａ、および多数（Ｋ個）のＰＡ３４８ａａ〜３４８ａｋを含み、それらは、図６において示されるように結合される。ブロードバンド送信機３４０ｚは、増幅器３４２ｚ、ローパスフィルタ３４４ｚ、アップコンバータ３４６ｚ、およびブロードバンドＰＡ３４８ｚを含み、それらは、図６において示されるように結合される。
【００６７】
[0070] ＬＯ生成器３５０は、受信機３３０ａおよび３３０ｂに対して受信ＬＯ信号を生成し、周波数シンセサイザ３５２および分割器３５８を含む。周波数シンセサイザ３５２は、ＰＬＬ３５４およびＶＣＯ３５６を含む。ＬＯ生成器３６０は、送信機３４０ａに対して送信ＬＯ信号を生成し、周波数シンセサイザ３６２および分割器３６８を含む。周波数シンセサイザ３６２は、ＰＬＬ３６４およびＶＣＯ３６６を含む。ＬＯ生成器３７０は、受信機３３０ｃおよび３３０ｄに対して受信ＬＯ信号を、送信機３４０ｚに対して送信ＬＯ信号を生成する。ＬＯ生成器３７０は、周波数シンセサイザ３７２と分割器３７８および３７９とを含み、周波数シンセサイザ３７２は、ＰＬＬ３７４およびＶＣＯ３７６を含む。
【００６８】
[0071] ＬＯ生成器３５０、３６０および／または３７０は、アクティブな受信機３３０および／または送信機３４０に対してＬＯ信号を生成しうる。アクティブな受信機または送信機ごとの各ＬＯ生成器の分割器比は、（ｉ）ターゲット周波数のＬＯ信号が各アクティブな受信機または送信機に提供され、（ｉｉ）全てのアクティブな受信機および送信機に対するＶＣＯがＶＣＯプリングを緩和するために周波数において非常に接近して動作しない、ように選択されうる。
【００６９】
[0072] 図７は、ワイヤレスデバイス１１０ｚのブロック図を示し、ワイヤレスデバイス１１０ｚは、図４におけるワイヤレスデバイス１１０ｃの例証的な設計である。この設計において、受信機３３０ａ、３３０ｂ、３３０ｃおよび３３０ｄと送信機３４０ａとは、図６において示され、上述されたように実装される。マルチバンド送信機３４０ｂは、増幅器３４２ｂ、ローパスフィルタ３４４ｂ、アップコンバータ３４６ｂ、および多数（Ｋ個）のＰＡ３４８ｂａ〜３４８ｂｋを含むが、それらは、図７において示されるように結合される。
【００７０】
[0073] ＬＯ生成器３５０ａは、受信機３３０ａおよび３３０ｂに対して受信ＬＯ信号を生成し、（ｉ）ＰＬＬ３５４ａおよびＶＣＯ３５６ａを備える周波数シンセサイザ３５２ａと（ｉｉ）分割器３５８ａとを含む。ＬＯ生成器３５０ｂは、受信機３３０ｃおよび３３０ｄに対して受信ＬＯ信号を生成し、（ｉ）ＰＬＬ３５４ｂおよびＶＣＯ３５６ｂを備える周波数シンセサイザ３５２ｂと（ｉｉ）分割器３５８ｂとを含む。ＬＯ生成器３６０ａは、送信機３４０ａに対して送信ＬＯ信号を生成し、（ｉ）ＰＬＬ３６４ａおよびＶＣＯ３６６ａを備える周波数シンセサイザ３６２ａと（ｉｉ）分割器３６８ａとを含む。ＬＯ生成器３６０ｂは、送信機３４０ｂに対して送信ＬＯ信号を生成し、（ｉ）ＰＬＬ３６４ｂおよびＶＣＯ３６６ｂを備える周波数シンセサイザ３６２ｂと（ｉｉ）分割器３６８ｂとを含む。
【００７１】
[0074] ＬＯ生成器３５０ａ、３５０ｂ、３６０ａおよび／または３６０ｂは、アクティブな受信機３３０および／または送信機３４０に対してＬＯ信号を生成しうる。アクティブな受信機または送信機ごとの各ＬＯ生成器の分割器比は、（ｉ）ターゲット周波数のＬＯ信号が各アクティブな受信機または送信機に提供され、（ｉｉ）全てのアクティブな受信機および送信機に対するＶＣＯがＶＣＯプリングを緩和するために周波数において非常に接近して動作しない、ように選択されうる。
【００７２】
[0075] 例証的な設計において、装置（例えば、ワイヤレスデバイス、ＩＣ、回路モジュール、等）は、異なるＲＡＴのワイヤレスシステムからの同時信号受信をサポートする第１および第２の受信機を含みうる。第１の受信機（図２における受信機２３０ａまたは図３における受信機３３０ａ）は、第１のＲＡＴの第１のワイヤレスシステム（例えば、図１におけるワイヤレスシステム１２０）から第１のダウンリンク信号を受信しうる。第２の受信機（例えば、図２における受信機２３０ｚまたは図３における受信機３３０ｃ）は、第１のＲＡＴとは異なる第２のＲＡＴの第２のワイヤレスシステム（例えば、図１におけるワイヤレスシステム１２２）から第２のダウンリンク信号を受信しうる。第１および第２の受信機は、同時に動作しうる。第２の受信機は、ブロードバンドでありうる、および／または、キャリアアグリゲーションをサポートしうる。
【００７３】
[0076] 例証的な設計において、第１の受信機（例えば、図５における受信機２３０ａ）は、マルチバンド受信機であり、複数の帯域に対して複数のＬＮＡ（例えば、ＬＮＡ２３２ａａ〜２３２ａｋ）を備えうる。各ＬＮＡは、複数の帯域のうちの少なくとも１つをカバーしうる。第２の受信機（例えば、受信機２３０ｚ）は、ブロードバンド受信機であり、複数の帯域に対して単一のＬＮＡ（例えば、ＬＮＡ２３２ｚ）を備えうる。別の例証的な設計において、第１の受信機（例えば、図６における受信機３３０ａ）は、複数の帯域に対して第１の複数のＬＮＡ（例えば、ＬＮＡ３３０ａａ〜３３０ａｋ）を備えうる。第２の受信機（例えば、受信機３３０ｃ）は、複数の帯域に対して第２の複数のＬＮＡ（例えば、ＬＮＡ３３２ｃａ〜３３２ｃｋ）を備えうる。第１および第２の受信機は、キャリアアグリゲーションのために、それぞれ、キャリアの第１および第２のセット上においてダウンリンク信号を同時に受信しうる。
【００７４】
[0077] 装置はさらに、第１および第２のＬＯ生成器を含みうる。第１のＬＯ生成器（例えば、図５におけるＬＯ生成器２５０または図６におけるＬＯ生成器３５０）は、第１の分割器比（例えば、ＲＸ＿Ｎ１）に基づいて第１の受信機に対して第１のＬＯ信号を生成しうる。第２のＬＯ生成器（例えば、図５におけるＬＯ生成器２７０または図６におけるＬＯ生成器３７０）は、第２の分割器比（例えば、ＲＸ＿Ｎ２）に基づいて第２の受信機に対して第２のＬＯ信号を生成しうる。第２の分割器比は、第１の分割器比とは異なりうる。第１のＬＯ生成器は、第１の周波数で動作する第１のＶＣＯ（例えば、図５におけるＶＣＯ２５６または図６におけるＶＣＯ３５６）を含みうる。第２のＬＯ生成器は、第２の周波数で動作する第２のＶＣＯ（例えば、図５におけるＶＣＯ２７６または図６におけるＶＣＯ３７６）を含みうる。第１および第２の分割器比は、第１および第２の周波数の間で少なくとも所定量の分離を取得するために選択されうる。
【００７５】
[0078] 装置はさらに、第１および第２の送信機を含みうる。第１の送信機（例えば、図２における送信機２４０ａまたは図３における送信機３４０ａ）は、第１のＲＡＴの第１のワイヤレスシステムに第１のアップリンク信号を送信しうる。第２の送信機（例えば、図２における送信機２４０ｚ、図３における送信機３４０ｚ、または図４における送信機３４０ｂ）は、第２のＲＡＴの第２のワイヤレスシステムに第２のアップリンク信号を送信しうる。第２の送信機は、（図２および３において示されるように）ブロードバンドでありうるか、または（図４において示されるように）キャリアアグリゲーションをサポートしうる。
【００７６】
[0079] 装置は、（ｉ）第１の分割器比（例えば、ＴＸ＿Ｎ１）に基づいて第１の送信機に対して第１のＬＯ信号を、および（ｉｉ）第２の分割器比（例えば、ＲＸ＿Ｎ２）に基づいて第２の受信機に対して第２のＬＯ信号を生成するために少なくとも１つのＬＯ生成器（例えば、図５におけるＬＯ生成器２６０および／または２７０、あるいは図６におけるＬＯ生成器３６０および／または３７０）を含みうる。少なくとも１つのＬＯ生成器は、第１の周波数で動作する第１のＶＣＯ（例えば、図５におけるＶＣＯ２６６または図６におけるＶＣＯ３６６）および第２の周波数で動作する第２のＶＣＯ（例えば、図５におけるＶＣＯ２７６または図６におけるＶＣＯ３７６）を含みうる。第１および第２の分割器比は、第１および第２の周波数の間で少なくとも所定量の分離を取得するために選択されうる。
【００７７】
[0080] 例証的な設計において、装置は、第１、第２および第３のＬＯ生成器を含みうる。第１のＬＯ生成器（例えば、図５におけるＬＯ生成器２５０、または図６におけるＬＯ生成器３５０）は、第１の分割器比（例えば、ＲＸ＿Ｎ１）に基づいて第１の受信機に対して第１のＬＯ信号を生成しうる。第２のＬＯ生成器（例えば、図５におけるＬＯ生成器２７０または図６におけるＬＯ生成器３７０）は、第２の分割器比（例えば、ＲＸ＿Ｎ２）に基づいて第２の受信機に対して第２のＬＯ信号を生成しうる。第３のＬＯ生成器（例えば、図５におけるＬＯ生成器２６０または図６におけるＬＯ生成器３６０）は、第３の分割器比（例えば、ＴＸ＿Ｎ１）に基づいて第１の送信機に対して第３のＬＯ信号を生成しうる。第２のＬＯ生成器はまた、第４の分割器比（例えば、ＴＸ＿Ｎ２）に基づいて第２の送信機に対して第４のＬＯ信号を生成しうる。第１のＬＯ生成器は、第１の周波数で動作する第１のＶＣＯ（例えば、図５におけるＶＣＯ２５６または図６におけるＶＣＯ３５６）を含みうる。第２のＬＯ生成器は、第２の周波数で動作する第２のＶＣＯ（例えば、図５におけるＶＣＯ２７６または図６におけるＶＣＯ３７６）を含みうる。第３のＬＯ生成器は、第３の周波数で動作する第３のＶＣＯ（例えば、図５におけるＶＣＯ２６６または図６におけるＶＣＯ３６６）を含みうる。第１、第２および第３の分割器比は、第１、第２および第３の周波数のうちの任意の２つの間で少なくとも所定量の分離を取得するために選択されうる。
【００７８】
[0081] 図８は、ワイヤレス通信をサポートするためのプロセス８００の例証的な設計を示す。プロセス８００は、ワイヤレスデバイスによって、または何らかの他のエンティティによって遂行されうる。第１のダウンリンク信号は、第１の受信機で第１のＲＡＴの第１のワイヤレスシステムから受信されうる（ブロック８１２）。第２のダウンリンク信号は、第２の受信機で、第１のＲＡＴとは異なる、第２のＲＡＴの第２のワイヤレスシステムから受信されうる（ブロック８１４）。第１および第２の受信機は、同時に動作しうる。第２の受信機は、ブロードバンドでありうる、および／または、キャリアアグリゲーションをサポートしうる。
【００７９】
[0082] 第１のアップリンク信号は、第１の送信機で第１のＲＡＴの第１のワイヤレスシステムに送信されうる（ブロック８１６）。第２のアップリンク信号は、第２の送信機で第２のＲＡＴの第２のワイヤレスシステムに送信されうる（ブロック８１８）。第２の送信機は、ブロードバンドでありうる、および／または、キャリアアグリゲーションをサポートしうる。
【００８０】
[0083] 第１のＬＯ信号は、第１の分割器比に基づいて第１の受信機に対して生成されうる（ブロック８２０）。第２のＬＯ信号は、第１の分割器比とは異なる第２の分割器比に基づいて第２の受信機に対して生成されうる（ブロック８２２）。第１のＬＯ信号は、第１の周波数の第１の発振器信号に基づいて生成され、第２のＬＯ信号は、第２の周波数の第２の発振器信号に基づいて生成されうる。第１および第２の分割器比は、第１および第２の周波数の間で少なくとも所定量の分離を取得するために選択されうる。第３のＬＯ信号は、第３の周波数の第３の発振器信号および第３の分割器比に基づいて第１の送信機に対して生成されうる（ブロック８２４）。第１、第２および第３の分割器比は、第１、第２および第３の周波数のうちの任意の２つの間で少なくとも所定量の分離を取得するために選択されうる。
【００８１】
[0084] 当業者は、情報および信号が様々な異なる技術ならびに技法のいずれかを使用して表されうることを理解するであろう。例えば、上記の説明全体にわたって参照されうるデータ、命令、コマンド、情報、信号、ビット、シンボル、およびチップは、電圧、電流、電磁波、磁場または磁性粒子、光場または光粒子、あるいはそれらの任意の組み合わせによって表されうる。
【００８２】
[0085] 当業者はさらに、本明細書における開示に関連して説明された様々な例示的な論理ブロック、モジュール、回路、およびアルゴリズムステップが電子ハードウェア、コンピュータソフトウェア、または両方の組み合わせとして実装されうることを認識するであろう。ハードウェアおよびソフトウェアのこの互換性を明確に例示するために、様々な例示的なコンポーネント、ブロック、モジュール、回路、およびステップが、概してそれらの機能性の観点から上述されてきた。そのような機能性がハードウェアまたはソフトウェアとして実装されるかどうかは、特定のアプリケーションおよびシステム全体に課せられる設計制約に依存する。当業者は、説明された機能を特定のアプリケーションごとに様々な方法で実装しうるが、そのような実装の決定は、本開示の範囲からの逸脱を引き起こしていると解釈されるべきではない。
【００８３】
[0086] 本明細書における開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、または本明細書において説明された機能を遂行するよう設計されたそれらの任意の組み合わせを用いて実装または遂行されうる。汎用プロセッサは、マイクロプロセッサでありうるが、代替において、プロセッサは、任意の従来のプロセッサ、コントローラ、マイクロコントローラ、またはステートマシンでありうる。プロセッサはまた、計算デバイスの組み合わせ、例えば、ＤＳＰおよびマイクロプロセッサの組み合わせ、複数のマイクロプロセッサ、ＤＳＰコアと連携した１つまたは複数のマイクロプロセッサ、または任意の他のそのような構成として実装されうる。
【００８４】
[0087] 本明細書における開示に関連して説明された方法またはアルゴリズムのステップは、直接ハードウェアにおいて、プロセッサによって実行されるソフトウェアモジュールにおいて、または２つの組み合わせにおいて具現化されうる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術において知られる任意の他の形態の記憶媒体内において存在しうる。例証的な記憶媒体は、プロセッサが記憶媒体から情報を読み取り、記憶媒体に情報を書き込むことができるように、プロセッサに結合される。代替において、記憶媒体は、プロセッサと一体化されうる。プロセッサおよび記憶媒体は、ＡＳＩＣ内において存在しうる。ＡＳＩＣは、ユーザ端末内において存在しうる。代替において、プロセッサおよび記憶媒体は、ユーザ端末内において離散コンポーネントとして存在しうる。
【００８５】
[0088] １つまたは複数の例証的な設計において、説明された機能は、ハードウェア、ソフトウェア、ファームウェア、またはそれらの任意の組み合わせにおいて実装されうる。ソフトウェアにおいて実装される場合、機能は、コンピュータ可読媒体上における１つまたは複数の命令またはコードとして記憶または送信されうる。コンピュータ可読媒体は、１つの場所から別の場所へのコンピュータプログラムの転送を容易にする任意の媒体を含む通信媒体およびコンピュータ記憶媒体の両方を含む。記憶媒体は、汎用または専用コンピュータによってアクセスされることができる任意の利用可能な媒体でありうる。限定ではなく例として、そのようなコンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、あるいは命令またはデータ構造の形態で所望のプログラムコード手段を搬送または記憶するために使用されることができ、汎用または専用コンピュータ、もしくは汎用または専用プロセッサによってアクセスされることができる任意の他の媒体を備えることができる。また、任意の接続は、厳密にはコンピュータ可読媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここにおいてディスク（disk）は通常、磁気的にデータを再生するが、その一方でディスク（disc）は、レーザーを用いて光学的にデータを再生する。上記の組み合わせはまた、コンピュータ可読媒体の範囲内に含まれるべきである。
【００８６】
[0089] 本開示の先の説明は、当業者が本開示を製造または使用することを可能にするために提供される。本開示に対する様々な修正は、当業者にとって容易に明らかとなり、本明細書において定義された包括的な原理は、本開示の精神または範囲から逸脱することなしに他の変形例に適用されうる。したがって、本開示は、本明細書において説明された例および設計に限定されるよう意図されず、本明細書において開示された原理および新規の特徴と一致する最も幅広い範囲が付与されるべきである。
【図１】
2016527735.tif 000003
【図２】
2016527735.tif 000004
【図３】
2016527735.tif 000005
【図４】
2016527735.tif 000006
【図５】
2016527735.tif 000007
【図６】
2016527735.tif 000008
【図７】
2016527735.tif 000009
【図８】
2016527735.tif 000010
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
第１の無線アクセス技術（ＲＡＴ）の第１のワイヤレスシステムから第１のダウンリンク信号を受信するように構成される第１の受信機と、
前記第１のＲＡＴとは異なる第２のＲＡＴの第２のワイヤレスシステムから第２のダウンリンク信号を受信するように構成される第２の受信機と、前記第１の受信機および前記第２の受信機は、それぞれ、前記第１のダウンリンク信号および前記第２のダウンリンク信号を受信するよう同時に動作するように構成される、
第１の分割器比および第２の分割器比を選択するように構成される局部発振器（ＬＯ）コントローラと、前記第２の分割器比は、前記第１の分割器比とは異なる、
前記第１の分割器比に基づいて前記第１の受信機に対して第１の周波数の第１のＬＯ信号を生成するように構成される第１のＬＯ生成器と、
前記第２の分割器比に基づいて前記第２の受信機に対して第２の周波数の第２のＬＯ信号を生成するように構成される第２のＬＯ生成器と
を備える、装置。
【請求項２】
前記第１の受信機は、複数の帯域に対して複数の低雑音増幅器（ＬＮＡ）を備え、各ＬＮＡは、前記複数の帯域のうちの少なくとも１つをカバーする、請求項１に記載の装置。
【請求項３】
前記第１の受信機は、複数の帯域に対して第１の複数の低雑音増幅器（ＬＮＡ）を備え、前記第２の受信機は、前記複数の帯域に対して第２の複数のＬＮＡを備え、前記第１の受信機および前記第２の受信機は、キャリアアグリゲーションのために、それぞれ、キャリアの第１のセットおよびキャリアの第２のセット上において、それぞれ、前記第１のダウンリンク信号および前記第２のダウンリンク信号を同時に受信するように構成される、請求項１に記載の装置。
【請求項４】
前記第１の分割器比および前記第２の分割器比は、前記第１および第２の周波数の間で少なくとも第１の所定量の分離を取得するために選択される、請求項１に記載の装置。
【請求項５】
前記第１のＲＡＴの前記第１のワイヤレスシステムに第１のアップリンク信号を送信するように構成される第１の送信機と、
前記第２のＲＡＴの前記第２のワイヤレスシステムに第２のアップリンク信号を送信するように構成される第２の送信機と、
をさらに備える、請求項１に記載の装置。
【請求項６】
第３の分割器比に基づいて前記第１の送信機に対して第３の局部発振器（ＬＯ）信号を生成するように構成される第３のＬＯ生成器と、第４の分割器比に基づいて前記第２の送信機に対して第４のＬＯ信号を生成するようにさらに構成される前記第２のＬＯ生成器とをさらに備え、
前記ＬＯコントローラは、第３の周波数および第４の周波数の間で第２の所定量の分離を取得するために前記第３の分割器比および第４の分割器比を選択する、請求項５に記載の装置。
【請求項７】
前記第１のＬＯ生成器は、前記第１の周波数で動作する第１の電圧制御発振器（ＶＣＯ）と、前記第２の周波数で動作する第２のＶＣＯとを備える、請求項６に記載の装置。
【請求項８】
前記第１のＬＯ生成器は、前記第１の周波数で動作する第１の電圧制御発振器（ＶＣＯ）を備え、前記第２のＬＯ生成器は、前記第２の周波数で動作する第２のＶＣＯを備え、前記第３のＬＯ生成器は、前記第３の周波数で動作する第３のＶＣＯを備え、前記第１の分割器比、前記第２の分割器比、および前記第３の分割器比は、前記第１の周波数、前記第２の周波数、および前記第３の周波数のうちの任意の２つの間で少なくとも所定量の分離を取得するために選択される、請求項６に記載の装置。
【請求項９】
ワイヤレス通信のための方法であって、
第１の受信機で第１の無線アクセス技術（ＲＡＴ）の第１のワイヤレスシステムから第１のダウンリンク信号を受信することと、
第２の受信機で前記第１のＲＡＴとは異なる第２のＲＡＴの第２のワイヤレスシステムから第２のダウンリンク信号を受信することと、前記第１の受信機および前記第２の受信機は、それぞれ、前記第１のダウンリンク信号および前記第２のダウンリンク信号を受信するよう同時に動作する、
第１の分割器比および第２の分割器比を選択することと、前記第２の分割器比は、前記第１の分割器比とは異なる、
前記第１の分割器比に基づいて前記第１の受信機に対して第１の周波数の第１の局部発振器（ＬＯ）信号を生成することと、
前記第２の分割器比に基づいて前記第２の受信機に対して第２の周波数の第２のＬＯ信号を生成することと
を備える、方法。
【請求項１０】
前記第１の分割器比および前記第２の分割器比は、前記第１および第２の周波数の間で少なくとも所定量の分離を取得するために選択される、請求項９に記載の方法。
【請求項１１】
第１の送信機で前記第１のＲＡＴの前記第１のワイヤレスシステムに第１のアップリンク信号を送信することと、
第２の送信機で前記第２のＲＡＴの前記第２のワイヤレスシステムに第２のアップリンク信号を送信することと、
をさらに備える、請求項９に記載の方法。
【請求項１２】
ワイヤレス通信のための装置であって、
第１の無線アクセス技術（ＲＡＴ）の第１のワイヤレスシステムから第１のダウンリンク信号を受信するための手段と、
前記第１のＲＡＴとは異なる第２のＲＡＴの第２のワイヤレスシステムから第２のダウンリンク信号を受信するための手段と、ここにおいて、前記第１のダウンリンク信号を前記受信するための手段および前記第２のダウンリンク信号を前記受信するための手段は、それぞれ、前記第１のダウンリンク信号および前記第２のダウンリンク信号を受信するよう同時に動作するように構成される、
第１の分割器比および第２の分割器比を選択するための手段と、前記第２の分割器比は、前記第１の分割器比とは異なる、
前記第１の分割器比に基づいて第１の周波数の第１の局部発振器（ＬＯ）信号を生成するための手段と、
前記第２の分割器比に基づいて第２の周波数の第２のＬＯ信号を生成するための手段と
を備える、装置。
【請求項１３】
前記第１および第２の分割器比は、前記第１および第２の周波数の間で少なくとも所定量の分離を取得するために選択される、請求項１２に記載の装置。
【請求項１４】
前記第１のＲＡＴの前記第１のワイヤレスシステムに第１のアップリンク信号を送信するための手段と、
前記第２のＲＡＴの前記第２のワイヤレスシステムに第２のアップリンク信号を送信するための手段と、
をさらに備える、請求項１２に記載の装置。
【請求項１５】
ワイヤレス通信のためのコンピュータ実行可能なコードを記憶した非一時的なコンピュータ可読媒体であって、
第１の受信機に、第１の無線アクセス技術（ＲＡＴ）の第１のワイヤレスシステムからの第１のダウンリンク信号を受信させるためのコードと、
第２の受信機に、前記第１のＲＡＴとは異なる第２のＲＡＴの第２のワイヤレスシステムからの第２のダウンリンク信号を受信させるためのコードと、前記第１の受信機に前記第１のダウンリンク信号を受信させるための前記コードおよび前記第２の受信機に前記第２のダウンリンク信号を受信させるための前記コードは、前記第１の受信機および前記第２の受信機に、それぞれ、前記第１のダウンリンク信号および前記第２のダウンリンク信号を受信するよう同時に動作させるように構成される、
局部発振器（ＬＯ）コントローラに、第１の分割器比および第２の分割器比を選択させるためのコードと、前記第２の分割器比は、前記第１の分割器比とは異なる、
第１のＬＯ生成器に、前記第１の分割器比に基づいて前記第１の受信機に対して第１の周波数の第１のＬＯ信号を生成させるためのコードと、
第２のＬＯ生成器に、前記第２の分割器比に基づいて前記第２の受信機に対して第２の周波数の第２のＬＯ信号を生成させるためのコードと
を備える、非一時的なコンピュータ可読媒体。
【手続補正２】
【補正対象書類名】明細書
【補正対象項目名】００８６
【補正方法】変更
【補正の内容】
【００８６】
[0089] 本開示の先の説明は、当業者が本開示を製造または使用することを可能にするために提供される。本開示に対する様々な修正は、当業者にとって容易に明らかとなり、本明細書において定義された包括的な原理は、本開示の精神または範囲から逸脱することなしに他の変形例に適用されうる。したがって、本開示は、本明細書において説明された例および設計に限定されるよう意図されず、本明細書において開示された原理および新規の特徴と一致する最も幅広い範囲が付与されるべきである。
以下に、出願当初の特許請求の範囲に記載された発明を付記する。
［Ｃ１］
ワイヤレス通信のための装置であって、
第１の無線アクセス技術（ＲＡＴ）の第１のワイヤレスシステム（１２０）から第１のダウンリンク信号を受信するように構成可能な第１の受信機（２３０ａ、３３０ａ）と、
前記第１のＲＡＴとは異なる第２のＲＡＴの第２のワイヤレスシステム（１２２）から第２のダウンリンク信号を受信するように構成可能な第２の受信機（２３０ｚ、３３０ｃ）と、前記第１および第２の受信機は、同時に動作し、前記第２の受信機は、ブロードバンドであるか、またはキャリアアグリゲーションをサポートする、
を備える、装置。
［Ｃ２］
前記第１の受信機（２３０ａ）は、複数の帯域に対して複数の低雑音増幅器（ＬＮＡ）（２３２ａａ、２３２ａｋ）を備え、各ＬＮＡは、前記複数の帯域のうちの少なくとも１つをカバーし、前記第２の受信機（２３０ｚ）は、前記複数の帯域に対して単一のＬＮＡ（２３２ｚ）を備える、Ｃ１に記載の装置。
［Ｃ３］
前記第１の受信機は（３３０ａ）、複数の帯域に対して第１の複数の低雑音増幅器（ＬＮＡ）（３３０ａａ、３３０ａｋ）を備え、前記第２の受信機（３３０ｃ）は、前記複数の帯域に対して第２の複数のＬＮＡ（３３２ｃａ、３３２ｃｋ）を備え、前記第１および第２の受信機は、キャリアアグリゲーションのために、それぞれ、キャリアの第１および第２のセット上においてダウンリンク信号を同時に受信するように構成可能である、Ｃ１に記載の装置。
［Ｃ４］
第１の分割器比に基づいて前記第１の受信機に対して第１の局部発振器（ＬＯ）信号を生成するように構成可能な第１のＬＯ生成器（２５０、３５０）と、
第２の分割器比に基づいて前記第２の受信機に対して第２のＬＯ信号を生成するように構成可能な第２のＬＯ生成器（２７０、３７０）と
をさらに備える、Ｃ１に記載の装置。
［Ｃ５］
前記第２の分割器比は、前記第１の分割器比とは異なる、Ｃ４に記載の装置。
［Ｃ６］
前記第１のＬＯ生成器（２５０、３５０）は、第１の周波数で動作する第１の電圧制御発振器（ＶＣＯ）（２５６、３５６）を備え、前記第２のＬＯ生成器（２７０、３７０）は、第２の周波数で動作する第２のＶＣＯ（２７６、３７６）を備え、前記第１および第２の分割器比は、前記第１および第２の周波数の間で少なくとも所定量の分離を取得するために選択される、Ｃ４に記載の装置。
［Ｃ７］
前記第１のＲＡＴの前記第１のワイヤレスシステムに第１のアップリンク信号を送信するように構成可能な第１の送信機（２４０ａ、３４０ａ）と、
前記第２のＲＡＴの前記第２のワイヤレスシステムに第２のアップリンク信号を送信するように構成可能な第２の送信機（２４０ｚ、３４０ｚ、３４０ｂ）と、前記第２の送信機は、ブロードバンドであるか、またはキャリアアグリゲーションをサポートする、
をさらに備える、Ｃ１に記載の装置。
［Ｃ８］
第１の分割器比に基づいて前記第１の送信機（２４０ａ、３４０ａ）に対して第１の局所発振器（ＬＯ）信号と、第２の分割器比に基づいて前記第２の受信機（２４０ｚ、３４０ｚ）に対して第２のＬＯ信号とを生成するように構成可能な少なくとも１つのＬＯ生成器（２６０、２７０、３６０、３７０）をさらに備える、Ｃ７に記載の装置。
［Ｃ９］
前記少なくとも１つのＬＯ生成器（２６０、２７０、３６０、３７０）は、第１の周波数で動作する第１の電圧制御発振器（ＶＣＯ）（２６６、３６６）と、第２の周波数で動作する第２のＶＣＯ（２７６、３７６）とを備え、前記第１および第２の分割器比は、前記第１および第２の周波数の間で少なくとも所定量の分離を取得するために選択される、Ｃ８に記載の装置。
［Ｃ１０］
第１の分割器比に基づいて前記第１の受信機（２３０ａ、３３０ａ）に対して第１の局部発振器（ＬＯ）信号を生成するように構成可能な第１のＬＯ生成器（２５０、３５０）と、
第２の分割器比に基づいて前記第２の受信機（２３０ｚ、３３０ｚ）に対して第２のＬＯ信号を生成するように構成可能な第２のＬＯ生成器（２７０、３７０）と、
第３の分割器比に基づいて前記第１の送信機（２４０ａ、３４０ａ）に対して第３のＬＯ信号を生成するように構成可能な第３のＬＯ生成器（２６０、３６０）と
をさらに備える、Ｃ７に記載の装置。
［Ｃ１１］
前記第２のＬＯ生成器（２７０、３７０）は、第４の分割器比に基づいて前記第２の送信機（２４０ｚ、３４０ｚ）に対して第４のＬＯ信号を生成するようにさらに構成可能である、Ｃ１０に記載の装置。
［Ｃ１２］
前記第１のＬＯ生成器（２５０、３５０）は、第１の周波数で動作する第１の電圧制御発振器（ＶＣＯ）（２５６、３５６）を備え、前記第２のＬＯ生成器（２７０、３７０）は、第２の周波数で動作する第２のＶＣＯ（２７６、３７６）を備え、前記第３のＬＯ生成器（２６０、３６０）は、第３の周波数で動作する第３のＶＣＯ（２６６、３６６）を備え、前記第１、第２および第３の分割器比は、前記第１、第２および第３の周波数のうちの任意の２つの間で少なくとも所定量の分離を取得するために選択される、Ｃ１０に記載の装置。
［Ｃ１３］
ワイヤレス通信のための方法であって、
第１の受信機で第１の無線アクセス技術（ＲＡＴ）の第１のワイヤレスシステムから第１のダウンリンク信号を受信すること（８１２）と、
第２の受信機で前記第１のＲＡＴとは異なる第２のＲＡＴの第２のワイヤレスシステムから第２のダウンリンク信号を受信すること（８１４）と、前記第１および第２の受信機は、同時に動作し、前記第２の受信機は、ブロードバンドであるか、またはキャリアアグリゲーションをサポートする、
を備える、方法。
［Ｃ１４］
第１の分割器比に基づいて前記第１の受信機に対して第１の局部発振器（ＬＯ）信号を生成すること（８２０）と、
前記第１の分割器比とは異なる第２の分割器比に基づいて前記第２の受信機に対して第２のＬＯ信号を生成すること（８２２）と
をさらに備える、Ｃ１３に記載の方法。
［Ｃ１５］
前記第１のＬＯ信号は、第１の周波数の第１の発振器信号に基づいて生成され、前記第２のＬＯ信号は、第２の周波数の第２の発振器信号に基づいて生成され、前記第１および第２の分割器比は、前記第１および第２の周波数の間で少なくとも所定量の分離を取得するために選択される、Ｃ１４に記載の方法。
［Ｃ１６］
第１の送信機で前記第１のＲＡＴの前記第１のワイヤレスシステムに第１のアップリンク信号を送信すること（８１６）と、
第２の送信機で前記第２のＲＡＴの前記第２のワイヤレスシステムに第２のアップリンク信号を送信すること（８１８）と、前記第２の送信機は、ブロードバンドであるか、またはキャリアアグリゲーションをサポートする、
をさらに備える、Ｃ１３に記載の方法。
［Ｃ１７］
第１の周波数の第１の発振器信号および第１の分割器比に基づいて前記第１の受信機に対して第１の局部発振器（ＬＯ）信号を生成すること（８２０）と、
第２の周波数の第２の発振器信号および第２の分割器比に基づいて前記第２の受信機に対して第２のＬＯ信号を生成すること（８２２）と、
第３の周波数の第３の発振器信号および第３の分割器比に基づいて前記第１の送信機に対して第３のＬＯ信号を生成すること（８２４）と、前記第１、第２および第３の分割器比は、前記第１、第２および第３の周波数のうちの任意の２つの間で少なくとも所定量の分離を取得するために選択される、
をさらに備える、Ｃ１６に記載の方法。
［Ｃ１８］
ワイヤレス通信のための装置であって、
第１の無線アクセス技術（ＲＡＴ）の第１のワイヤレスシステムから第１のダウンリンク信号を受信するための手段と、
前記第１のＲＡＴとは異なる第２のＲＡＴの第２のワイヤレスシステムから第２のダウンリンク信号を受信するための手段と、前記第１のダウンリンク信号を前記受信するための手段および前記第２のダウンリンク信号を前記受信するための手段は、同時に動作し、前記第２のダウンリンク信号を前記受信するための手段は、ブロードバンドであるか、またはキャリアアグリゲーションをサポートする、
を備える、装置。
［Ｃ１９］
第１の分割器比に基づいて前記第１のダウンリンク信号を前記受信するための手段に対して第１の局部発振器（ＬＯ）信号を生成するための手段と、
前記第１の分割器比とは異なる第２の分割器比に基づいて前記第２のダウンリンク信号を前記受信するための手段に対して第２のＬＯ信号を生成するための手段と
をさらに備える、Ｃ１８に記載の装置。
［Ｃ２０］
前記第１のＬＯ信号は、第１の周波数の第１の発振器信号に基づいて生成され、前記第２のＬＯ信号は、第２の周波数の第２の発振器信号に基づいて生成され、前記第１および第２の分割器比は、前記第１および第２の周波数の間で少なくとも所定量の分離を取得するために選択される、Ｃ１９に記載の装置。
［Ｃ２１］
前記第１のＲＡＴの前記第１のワイヤレスシステムに第１のアップリンク信号を送信するための手段と、
前記第２のＲＡＴの前記第２のワイヤレスシステムに第２のアップリンク信号を送信するための手段と、前記第２のアップリンク信号を前記送信するための手段は、ブロードバンドであるか、またはキャリアアグリゲーションをサポートする、
をさらに備える、Ｃ１８に記載の装置。
［Ｃ２２］
第１の周波数の第１の発振器信号および第１の分割器比に基づいて前記第１のダウンリンク信号を前記受信するための手段に対して第１の局部発振器（ＬＯ）信号を生成するための手段と、
第２の周波数の第２の発振器信号および第２の分割器比に基づいて前記第２のダウンリンク信号を前記受信するための手段に対して第２のＬＯ信号を生成するための手段と、
第３の周波数の第３の発振器信号および第３の分割器比に基づいて前記第１のアップリンク信号を前記送信するための手段に対して第３のＬＯ信号を生成するための手段と、前記第１、第２および第３の分割器比は、前記第１、第２および第３の周波数のうちの任意の２つの間で少なくとも所定量の分離を取得するために選択される、
をさらに備える、Ｃ２１に記載の装置。
［Ｃ２３］
コンピュータプログラム製品であって、
非一時的コンピュータ可読媒体を備え、前記非一時的コンピュータ可読媒体は、
少なくとも１つのプロセッサに、第１の受信機による第１の無線アクセス技術（ＲＡＴ）の第１のワイヤレスシステムからの第１のダウンリンク信号の受信を指示させるためのコードと、
前記少なくとも１つのプロセッサに、第２の受信機による前記第１のＲＡＴとは異なる第２のＲＡＴの第２のワイヤレスシステムからの第２のダウンリンク信号を受信することの受信を指示させるためのコードと、前記第１および第２の受信機は、同時に動作し、前記第２の受信機は、ブロードバンドであるか、またはキャリアアグリゲーションをサポートする、
を備える、コンピュータプログラム製品。
【国際調査報告】
2016527735.tif 000011
2016527735.tif 000012
2016527735.tif 000013
2016527735.tif 000014
2016527735.tif 000015
2016527735.tif 000016
2016527735.tif 000017